(57)【要約】【課題】映像表示システムの利便性を向上させること。【解決手段】映像表示装置と複数の情報処理装置とがネットワークを介して接続された映像表示システムであって、前記複数の情報処理装置のうち、少なくともいずれかの情報処理装置を利用する利用者の顔画像を取得する顔画像取得部と、取得された前記顔画像と、予め記憶されている関連情報において前記複数の情報処理装置毎に関連付けられている顔画像とを比較する顔画像比較部と、前記顔画像の比較結果に基づいて、前記関連情報において顔画像と関連付けられている前記複数の情報処理装置のうちいずれかの情報処理装置を選択する情報処理装置選択部と、選択された前記情報処理装置から映像信号を取得する映像信号取得部と、取得された前記映像信号に基づいて映像を表示する映像表示部と、を備えることを特徴とする映像表示システム。【選択図】図３
2017055392.tif 000002
【特許請求の範囲】
【請求項１】
映像表示装置と複数の情報処理装置とがネットワークを介して接続された映像表示システムであって、
前記複数の情報処理装置のうち、少なくともいずれかの情報処理装置を利用する利用者の顔画像を取得する顔画像取得部と、
取得された前記顔画像と、予め記憶されている関連情報において前記複数の情報処理装置毎に関連付けられている顔画像とを比較する顔画像比較部と、
前記顔画像の比較結果に基づいて、前記関連情報において顔画像と関連付けられている前記複数の情報処理装置のうちいずれかの情報処理装置を選択する情報処理装置選択部と、
選択された前記情報処理装置から映像信号を取得する映像信号取得部と、
取得された前記映像信号に基づいて映像を表示する映像表示部と、
を備えることを特徴とする映像表示システム。
【請求項２】
前記顔画像比較部は、取得された前記顔画像と、予め記憶されている関連情報において、前記複数の情報処理装置をそれぞれ識別する識別情報毎に関連付けられている顔画像とを比較し、
前記情報処理装置選択部は、前記顔画像の比較結果に基づいて、前記関連情報において顔画像と関連付けられている前記識別情報のうちいずれかの識別情報を選択し、
前記映像信号取得部は、選択された前記識別情報により識別される情報処理装置から映像信号を取得することを特徴とする請求項１に記載の映像表示システム。
【請求項３】
前記複数の情報処理装置の個体をそれぞれ識別する個体識別情報毎に顔画像を前記関連情報に登録する関連情報登録部と、
前記複数の情報処理装置のネットワーク上における所在地をそれぞれ識別する所在地識別情報と、前記関連情報において顔画像が登録されている前記個体識別情報とを、前記複数の情報処理装置毎に関連付ける関連付け部と、
を備え、
前記顔画像比較部は、取得された前記顔画像と前記関連情報に登録されている顔画像とを比較し、
前記情報処理装置選択部は、前記顔画像の比較結果に基づいて、前記関連情報において顔画像が登録されている前記個体識別情報のうちいずれかの個体識別情報を選択し、
前記映像信号取得部は、前記関連情報において、選択された前記個体識別情報に関連付けられている所在地識別情報により識別される所在地に所在する情報処理装置から前記映像信号を取得することを特徴とする請求項１又は２に記載の映像表示システム。
【請求項４】
前記複数の情報処理装置の個体をそれぞれ識別する個体識別情報毎に顔画像を前記関連情報に登録する関連情報登録部と、
前記複数の情報処理装置のネットワーク上における所在地をそれぞれ識別する所在地識別情報を前記複数の情報処理装置からそれぞれ取得する所在地識別情報取得部と、
取得された前記所在地識別情報と、前記関連情報において顔画像が登録されている前記個体識別情報とを、前記複数の情報処理装置毎に関連付ける関連付け部と、
を備え、
前記顔画像比較部は、取得された前記顔画像と前記関連情報に登録されている顔画像とを比較し、
前記情報処理装置選択部は、前記顔画像の比較結果に基づいて、前記関連情報において顔画像が登録されている前記個体識別情報のうちいずれかの個体識別情報を選択し、
前記映像信号取得部は、前記関連情報において、選択された前記個体識別情報に関連付けられている所在地識別情報により識別される所在地に所在する情報処理装置から前記映像信号を取得することを特徴とする請求項１乃至３いずれか１項に記載の映像表示システム。
【請求項５】
前記複数の情報処理装置の個体をそれぞれ識別する個体識別情報毎に顔画像を前記関連情報に登録する関連情報登録部と、
前記複数の情報処理装置のネットワーク上における所在地をそれぞれ識別する所在地識別情報を、前記複数の情報処理装置の前記所在地識別情報を管理する所在地識別情報管理部から取得する所在地識別情報取得部と、
取得された前記所在地識別情報と、前記関連情報において顔画像が登録されている前記個体識別情報とを、前記複数の情報処理装置毎に関連付ける関連付け部と、
を備え、
前記顔画像比較部は、取得された前記顔画像と前記関連情報に登録されている顔画像とを比較し、
前記情報処理装置選択部は、前記顔画像の比較結果に基づいて、前記関連情報において顔画像が登録されている前記個体識別情報のうちいずれかの個体識別情報を選択し、
前記映像信号取得部は、前記関連情報において、選択された前記個体識別情報に関連付けられている所在地識別情報により識別される所在地に所在する情報処理装置から前記映像信号を取得することを特徴とする請求項１乃至４いずれか１項に記載の映像表示システム。
【請求項６】
周囲を撮影する撮影部を備え、
前記顔画像取得部は、前記撮影部により撮影された人物の顔画像を取得することを特徴とする請求項１乃至５いずれか１項に記載の映像表示システム。
【請求項７】
前記情報処理装置、若しくは、前記映像表示装置の少なくともいずれかが前記撮影部を備えることを特徴とする請求項６に記載の映像表示システム。
【請求項８】
前記複数の情報処理装置毎に、取得された前記映像信号の取得元であるか否かを判定する取得元判定部を備えることを特徴とする請求項１乃至７いずれか１項に記載の映像表示システム。
【請求項９】
周囲を撮影する撮影部と、
前記撮影部によって撮影された映像において特定の動作を認識し、前記動作を行っている 人物を検知する動作検知部と、
を備え、
前記顔画像取得部は、
検知された前記人物の顔画像を取得することを特徴とする請求項１に記載の映像表示システム。
【請求項１０】
前記動作検知部は、
前記動作を行っている前記人物に優先度を割り当て、
前記顔画像取得部は、
検知された前記人物の顔画像を前記優先度に基づいて取得し、
前記顔画像比較部は、
前記優先度に基づいて取得された前記顔画像と、前記複数の情報処理装置毎に関連付けられている顔画像とを比較し、
前記情報処理装置選択部は、
前記顔画像の比較結果に基づいて、前記関連情報において顔画像と関連付けられている前記複数の情報処理装置のうちいずれかの情報処理装置を選択することを特徴とする請求項９に記載の映像表示システム。
【請求項１１】
前記動作検知部は、
前記映像において、特定かつ複数の種類の前記動作を認識し、前記動作を行っている人物を検知することを特徴とする請求項９または請求項１０に記載の映像表示システム。
【請求項１２】
特定かつ複数の種類の前記動作の特徴量の情報に、それぞれが異なる前記情報処理装置の動作を制御するための情報である関連端末動作情報を関連付けて保存する関連端末動作情報保存部を備えることを特徴とする請求項９乃至請求項１１いずれか一項に記載の映像表示システム。
【請求項１３】
前記映像表示部に表示される映像を制御する映像表示制御部を備え、
前記動作検知部は、
前記映像において、前記映像信号の取得元として選択された前記情報処理装置に関連付けられている人物が行う前記動作を認識し、
前記映像表示制御部は、
前記動作の特徴量の情報に関連付けられている前記関連端末動作情報に基づいて前記映像表示部に表示される映像を制御することを特徴とする請求項１２に記載の映像表示システム。
【請求項１４】
前記映像表示部に表示される前記映像を制御する映像表示制御部を備え、
前記動作検知部は、
前記映像において、前記映像信号の取得元として選択された前記情報処理装置に関連付けられている人物とは異なる人物が行う前記動作を認識し、
前記映像表示制御部は、
前記動作の特徴量の情報に関連付けられている前記関連端末動作情報に基づいて前記映像表示部に表示される映像を制御することを特徴とする請求項１２に記載の映像表示システム。
【請求項１５】
映像表示装置と複数の情報処理装置とがネットワークを介して接続された映像表示システムの制御方法であって、
前記複数の情報処理装置のうち、少なくともいずれかの情報処理装置を利用する利用者の顔画像を取得し、
取得された前記顔画像と、予め記憶されている関連情報において前記複数の情報処理装置毎に関連付けられている顔画像とを比較し、
前記顔画像の比較結果に基づいて、前記関連情報において顔画像と関連付けられている前記複数の情報処理装置のうちいずれかの情報処理装置を選択し、
選択された前記情報処理装置から映像信号を取得し、
取得された前記映像信号に基づいて映像を表示することを特徴とする映像表示システムの制御方法。
【請求項１６】
映像表示装置と複数の情報処理装置とがネットワークを介して接続された映像表示システムの制御プログラムであって、
前記複数の情報処理装置のうち、少なくともいずれかの情報処理装置を利用する利用者の顔画像を取得するステップと、
取得された前記顔画像と、予め記憶されている関連情報において前記複数の情報処理装置毎に関連付けられている顔画像とを比較するステップと、
前記顔画像の比較結果に基づいて、前記関連情報において顔画像と関連付けられている前記複数の情報処理装置のうちいずれかの情報処理装置を選択するステップと、
選択された前記情報処理装置から映像信号を取得するステップと、
取得された前記映像信号に基づいて映像を表示するステップと、
を情報処理装置に実行させることを特徴とする映像表示システムの制御プログラム。
【発明の詳細な説明】
【技術分野】
【０００１】
本発明は、映像表示システム、映像表示システムの制御方法、映像表示システムの制御プログラムに関する。
【背景技術】
【０００２】
近年、プロジェクタやディスプレイなどの映像表示装置と、タブレット端末やＰＣ（Ｐｅｒｓｏｎａｌ  Ｃｏｍｐｕｔｅｒ）、スマートフォンなどの複数の情報処理装置とがネットワークを介して接続された映像表示システムが知られている（例えば、特許文献１を参照）。
【０００３】
そして、このような映像表示システムにおいて、映像表示装置は、上記複数の情報処理装置のうち、映像の表示対象となる情報処理装置として、映像表示システムの運用者により選択された情報処理装置から送信されてくる映像信号に基づいて映像を表示する。
【発明の概要】
【発明が解決しようとする課題】
【０００４】
ところが、このとき、映像表示システムの運用者は、映像の表示対象となる情報処理装置を選択する際、上記複数の情報処理装置のリストから該当する情報処理装置を探し出す必要があり、利便性における課題がある。
【０００５】
本発明は、このような課題を解決するためになされたものであり、映像表示システムの利便性を向上させることを目的とする。
【課題を解決するための手段】
【０００６】
上記課題を解決するために、本発明の一態様は、映像表示装置と複数の情報処理装置とがネットワークを介して接続された映像表示システムであって、前記複数の情報処理装置のうち、少なくともいずれかの情報処理装置を利用する利用者の顔画像を取得する顔画像取得部と、取得された前記顔画像と、予め記憶されている関連情報において前記複数の情報処理装置毎に関連付けられている顔画像とを比較する顔画像比較部と、前記顔画像の比較結果に基づいて、前記関連情報において顔画像と関連付けられている前記複数の情報処理装置のうちいずれかの情報処理装置を選択する情報処理装置選択部と、選択された前記情報処理装置から映像信号を取得する映像信号取得部と、取得された前記映像信号に基づいて映像を表示する映像表示部と、を備えることを特徴とする。
【発明の効果】
【０００７】
本発明によれば、映像表示システムの利便性を向上させることができる。
【図面の簡単な説明】
【０００８】
【図１】本発明の実施形態に係る映像表示システムの運用形態を示す図である。
【図２】本発明の実施形態に係るプロジェクタのハードウェア構成を模式的に示すブロック図である。
【図３】本発明の実施形態に係るプロジェクタの機能構成を模式的に示すブロック図である。
【図４】本発明の実施形態に係るプロジェクタがユーザ管理部において管理するユーザリストの一例を示す図である。
【図５】本発明の実施形態に係るプロジェクタが端末管理部において管理する端末リストの一例を示す図である。
【図６】本発明の実施形態に係るクライアント端末の機能構成を模式的に示すブロック図である。
【図７】本発明の実施形態に係る映像表示システムの利用者が、自身が操作するクライアント端末がプロジェクタに接続される際の処理を説明するためのシーケンス図である。
【図８】本発明の実施形態に係るクライアント端末が表示する顔画像撮影画面の一例を示す図である。
【図９】本発明の実施形態に係るプロジェクタがクライアント端末のキャプチャ画像を投影する際の処理を説明するための図である。
【図１０】本発明の実施形態に係るクライアント端末が表示する投影対象選択画面の一例を示す図である。
【図１１】本発明の実施形態に係るプロジェクタが端末管理部において管理する端末リストの一例を示す図である。
【図１２】本発明の実施形態に係る映像表示システムの利用者が、自身が操作するクライアント端末をプロジェクタに登録する際の処理を説明するためのシーケンス図である。
【図１３】本発明の実施形態に係る映像表示システムの利用者が、自身が操作するクライアント端末をプロジェクタに接続する際の処理を説明するためのシーケンス図である。
【図１４】本発明の実施形態に係るプロジェクタの機能構成を模式的に示す図である。
【図１５】本発明の実施形態に係るプロジェクタがＡＲＰテーブル管理部において管理するＡＲＰテーブルの一例を示す図である。
【図１６】本発明の実施形態に係るプロジェクタが端末管理部において管理する端末リストの一例を示す図である。
【図１７】本発明の実施形態に係る映像表示システムの利用者が、自身が操作するクライアント端末をプロジェクタに登録する際の処理を説明するためのシーケンス図である。
【図１８】本発明の実施形態に係るプロジェクタがＡＲＰテーブル管理部において管理しているＡＲＰテーブルを更新する際の処理を説明するためのシーケンス図である。
【図１９】本発明の実施形態に係るプロジェクタがクライアント端末のキャプチャ画像を投影する際の処理を説明するための図である。
【図２０】本発明の実施形態に係るプロジェクタが端末管理部において管理する端末リストの一例を示す図である。
【図２１】本発明の実施形態に係る映像表示システムの利用者が、自身が操作するクライアント端末をプロジェクタに登録する際の処理を説明するためのシーケンス図である。
【図２２】本発明の実施形態に係るクライアント端末が表示する端末一覧画面の一例を示す図である。
【図２３】本発明の実施形態に係るプロジェクタがクライアント端末のキャプチャ画像を投影する際の処理を説明するための図である。
【図２４】本発明の実施形態に係るプロジェクタが端末管理部において管理する端末リストの一例を示す図である。
【図２５】本発明の実施形態に係るプロジェクタが投影面上に投影表示しているキャプチャ画像の一例を示す図である。
【図２６】本発明の実施形態に係るクライアント端末が表示する選択不可通知画面の一例を示す図である。
【図２７】本発明の実施形態に係るクライアント端末が表示する表示位置指定画面の一例を示す図である。
【図２８】本発明の実施形態に係る映像表示システムの運用形態を示す図である。
【図２９】本発明の実施形態に係るプロジェクタの機能構成を模式的に示すブロック図である。
【図３０】本発明の実施形態に係るプロジェクタがクライアント端末のキャプチャ画像を投影する際の処理を説明するための図である。
【図３１】本発明の実施形態に係るカメラによって撮影された映像を例示した図である。
【図３２】本発明の実施形態に係るプロジェクタがクライアント端末のキャプチャ画像を投影する際の処理を説明するための図である。
【図３３】本発明の実施形態に係るカメラによって撮影された映像を例示した図である。
【図３４】本発明の実施形態に係るプロジェクタがユーザ管理部において管理するユーザリストの一例を示す図である。
【図３５】本発明の実施形態に係るジェスチャ検知部によって検知対象となるジェスチャを登録する際の処理を説明するための図である。
【図３６】本発明の実施形態に係るジェスチャ検知部によって管理されるジェスチャリストを示す図である。
【図３７】本発明の実施形態に係るプロジェクタがクライアント端末のキャプチャ画像を投影する際の処理を説明するための図である。
【図３８】本発明の実施形態に係るジェスチャ検知部によって検知対象となるジェスチャを登録する際の処理を説明するための図である。
【図３９】本発明の実施形態に係るジェスチャ検知部によって管理されるジェスチャリストを示す図である。
【図４０】本発明の実施形態に係るプロジェクタがクライアント端末のキャプチャ画像を投影する際の処理を説明するための図である。
【図４１】本発明の実施形態に係る映像表示システムの利用者が、自身が操作するクライアント端末の投影を終了させる処理を説明するためのシーケンス図である。
【図４２】本発明の実施形態に係るクライアント端末に関連付けられている操作許可設定情報を示す図である。
【発明を実施するための形態】
【０００９】
実施の形態１．
以下、図面を参照して、本発明の実施形態を詳細に説明する。本実施形態においては、プロジェクタやディスプレイなどの映像表示装置と、タブレット端末やＰＣ（Ｐｅｒｓｏｎａｌ  Ｃｏｍｐｕｔｅｒ）、スマートフォンなどの複数の情報処理装置とがネットワークを介して接続された映像表示システムについて説明する。
【００１０】
尚、本実施形態においては、会議や講義において、上記複数の情報処理装置のうち、映像の表示対象となる情報処理装置として、映像表示システムの運用者により選択された情報処理装置が映像表示装置に映像信号を送信し、送信されてきた映像信号に基づいて映像表示装置が映像を表示する場合を想定して説明する。
【００１１】
このような場合、従来の映像表示システムにおいては、映像表示システムの運用者である主催者が、自身が操作する情報処理装置において、各参加者が操作する情報処理装置のリストから映像の表示対象となる情報処理装置を選択しなければばらない。
【００１２】
従って、従来の映像表示システムにおいて、主催者は、映像の表示対象となる情報処理装置を選択する際、複数の情報処理装置のリストから該当する情報処理装置を探し出す必要があり、利便性が悪いといった問題がある。
【００１３】
そこで、本実施形態に係る映像表示システムはまず、各参加者が操作する情報処理装置とその参加者の顔画像とを関連付けてリスト化しておく。
【００１４】
そして、本実施形態に係る映像表示システムは、主催者が、自身が操作する情報処理装置において、映像の表示対象となる情報処理装置を操作する参加者の顔画像を撮影し、その顔画像に関連付けられている情報処理装置を上記リストから選択する。そして、本実施形態に係る映像表示システムにおいて、映像表示装置は、このようにして選択された情報処理装置から送信されてきた映像信号に基づいて映像を表示する。
【００１５】
本実施形態に係る映像表示システムは、このように構成されることで、主催者が映像の表示対象となる情報処理装置を選択する際、は該当する情報処理装置を操作する参加者の顔画像を撮影するだけでよい。即ち、主催者は自らが複数の情報処理装置のリストから該当する情報処理装置を探し出す必要がなくなる。従って、本実施形態に係る映像表示システムは、主に主催者における利便性を向上させることが可能となる。
【００１６】
まず、本実施形態に係る映像表示システムの運用形態について、図１を参照して説明する。図１は、本実施形態に係る映像表示システムの運用形態を示す図である。
【００１７】
図１に示すように、本実施形態に係る映像表示システムは、プロジェクタ１とクライアント端末２ａ〜２ｚとＤＨＣＰ（Ｄｙｎａｍｉｃ  Ｈｏｓｔ  Ｃｏｎｆｉｇｒａｔｉｏｎ  Ｐｒｏｔｏｃｏｌ）サーバ３とがネットワーク４を介して接続されて構成されている。
【００１８】
以下では、クライアント端末２ａを主催者が操作するクライアント端末とし、クライアント端末２ｂ〜２ｚを参加者が操作するクライアント端末とする。また、以下では、クライアント端末２ａ〜２ｚをそれぞれ区別する必要がない場合には、それらを総称してクライアント端末２とする。
【００１９】
尚、ネットワーク４に接続されているクライアント端末２の数は一例であり、これらがもっと多く接続された大規模なシステムであっても良い。
【００２０】
プロジェクタ１は、入力された映像信号に応じて、光源から射出される光束を変調して光学像を形成し、形成した投影画像を壁やスクリーンなどの投影面上に拡大して投影表示する。本実施形態においては、クライアント端末２から送信されてきた映像信号に基づいて映像を投影表示する。即ち、本実施形態においては、プロジェクタ１が映像表示部として機能する。
【００２１】
クライアント端末２は、主催者や参加者が操作する情報処理端末であり、ＰＣ（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔ）、スマートフォン、タブレット端末等の情報処理装置によって実現される。本実施形態においては、クライアント端末２は、映像の表示対象として選択された場合、表示している映像をキャプチャして、そのキャプチャ画像の映像信号をプロジェクタ１に送信する。
【００２２】
ネットワーク４は、例えば、オフィスＬＡＮ（Ｌｏｃａｌ  Ａｒｅａ  Ｎｅｔｗｏｒｋ）などの限定されたネットワークであり、例えば、Ｅｔｈｅｒｎｅｔ（登録商標）やＵＳＢ（Ｕｎｉｖｅｒｓａｌ  Ｓｅｒｉａｌ  Ｂｕｓ）、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）、ＶＧＡ（Ｖｉｄｅｏ  Ｇｒａｐｈｉｃｓ  Ａｒｒａｙ）、ＤＶＩ（Ｄｉｇｉｔａｌ  Ｖｉｓｕａｌ  Ｉｎｔｅｒｆａｃｅ）、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）規格などのインタフェースを利用したネットワークにより実現される。
【００２３】
ＤＨＣＰサーバ３は、インターネットなどのネットワークに一時的に接続されるコンピュータに、ＩＰアドレスなど必要な情報を自動的に発行するサーバである。即ち、本実施形態においては、ＤＨＣＰサーバ３が所在地識別情報管理部として機能する。
【００２４】
このように構成された映像表示システムにおいて、本実施形態に係る要旨の一つは、各参加者が操作するクライアント端末２ｂ〜２ｚとその参加者の顔画像とを関連付けてリスト化しておき、主催者が、自身が操作するクライアント端末２ａにおいて撮影した参加者の顔画像に関連付けられているクライアント端末２を上記リストから自動で選択することにある。
【００２５】
本実施形態に係る映像表示システムは、このように構成されることで、キャプチャ画像の投影対象となるクライアント端末２を選択する際、主催者は、該当するクライアント端末２を操作する参加者の顔画像を撮影するだけで良い。即ち、自らが複数のクライアント端末２のリストから該当するクライアント端末２を探し出す必要がなくなる。従って、本実施形態に係る映像表示システムは、利便性を向上させることが可能となる。
【００２６】
次に、本実施形態に係るプロジェクタ１、クライアント端末２のハードウェア構成について、図２を参照して説明する。図２は、本実施形態に係るプロジェクタ１のハードウェア構成を模式的に示すブロック図である。尚、図２においては、プロジェクタ１のハードウェア構成を例として示しているが、クライアント端末２についても同様である。
【００２７】
図２に示すように、本実施形態に係るプロジェクタ１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）１１、ＲＯＭ（Ｒｅａｄ  Ｏｎｌｙ  Ｍｅｍｏｒｙ）１２、ＨＤＤ（Ｈａｒｄ  Ｄｉｓｋ  Ｄｒｉｖｅ）１３、投影装置１４、操作装置１５、表示装置１６、通信Ｉ／Ｆ１７、撮影装置１８が通信Ｉ／Ｆ１９を介して接続されて構成されている。
【００２８】
ＣＰＵ１０は演算手段であり、プロジェクタ１全体の動作を制御する。ＲＡＭ１１は、情報の高速な読み書きが可能な揮発性の記憶媒体であり、ＣＰＵ１０が情報を処理する際の作業領域として用いられる。ＲＯＭ１２は、読み出し専用の不揮発性記憶媒体であり、ファームウェア等のプログラムが格納されている。
【００２９】
ＨＤＤ１３は、情報の読み書きが可能な不揮発性の記憶媒体であり、画像データ等の各種データや、ＯＳ（Ｏｐｅｒａｔｉｎｇ  Ｓｙｓｔｅｍ）、各種制御プログラム、アプリケーション・プログラム等の各種プログラムを格納する。
【００３０】
投影装置１４は、プロジェクタ１において専用の機能を実現するためのハードウェアである。即ち、投影装置１４は、光源から射出される光束を変調して光学像を形成し、形成した投影画像を壁やスクリーンなどの投影面上に拡大して投影表示する。尚、クライアント端末２は、主催者や参加者が操作する情報処理端末であるため、投影装置１４を備えている必要はない。
【００３１】
操作装置１５は、プロジェクタ１に情報を入力するためのユーザインタフェースであり、キーボードやマウス、入力ボタン、タッチパネルなどの入力装置によって実現される。
【００３２】
表示装置１６は、ユーザがプロジェクタ１の状態を確認するための視覚的ユーザインタフェースであり、ＬＣＤ（Ｌｉｑｕｉｄ  Ｃｒｙｓｔａｌ  Ｄｉｓｐｌａｙ）などの表示装置やＬＥＤ（Ｌｉｇｈｔ  Ｅｍｉｔｔｉｎｇ  Ｄｉｏｄｅ）などの出力装置によって実現される。
【００３３】
撮影装置１８は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の固体撮像素子であり、周囲を撮影して電気信号に変換し、プロジェクタ１に入力する。
【００３４】
通信Ｉ／Ｆ１９は、プロジェクタ１が他の装置と通信するためのインタフェースであり、Ｅｔｈｅｒｎｅｔ（登録商標）やＵＳＢ、Ｂｌｕｅｔｏｏｔｈ（登録商標）、Ｗｉ−Ｆｉ（登録商標）、ＦｅｌｉＣａ（登録商標）、ＰＣＩｅ、ＩＥＥＥ規格などのインタフェースが用いられる。
【００３５】
このようなハードウェア構成において、ＲＯＭ１２やＨＤＤ１３等の記憶媒体に格納されたプログラムがＲＡＭ１１に読み出され、ＣＰＵ１０がＲＡＭ１１にロードされたプログラムに従って演算を行うことにより、ソフトウェア制御部が構成される。
【００３６】
このようにして構成されたソフトウェア制御部と、ハードウェアとの組み合わせによって、本実施形態に係るプロジェクタ１、クライアント端末２の機能を実現する機能ブロックが構成される。
【００３７】
次に、本実施形態に係るプロジェクタ１の機能構成について、図３を参照して説明する。図３は、本実施形態に係るプロジェクタ１の機能構成を模式的に示すブロック図である。
【００３８】
図３に示すように、本実施形態に係るプロジェクタ１は、コントローラ１１０、操作ボタン１２０、ディスプレイパネル１３０、ネットワークＩ／Ｆ１４０、投影機構１５０、撮影機構１６０を有する。また、コントローラ１１０は、主制御部１００、操作表示制御部１０１、入出力制御部１０２、投影制御部１０３、撮影制御部１０４、ユーザ管理部１０５、端末管理部１０６、顔画像比較部１０７、投影対象選択部１０８、指示位置検知部１０９を有する。
【００３９】
操作ボタン１２０は、ユーザがプロジェクタ１を直接操作し若しくはプロジェクタ１に対して情報を入力する際の入力インタフェースである。操作ボタン１２０は、図２に示す操作装置１５によって実現される。
【００４０】
ディスプレイパネル１３０は、プロジェクタ１の状態を視覚的に表示する出力インタフェースであると共に、タッチパネルとしてユーザがプロジェクタ１を直接操作し若しくはプロジェクタ１に対して情報を入力する際の入力インタフェースでもある。即ち、ディスプレイパネル１３０は、ユーザによる操作を受けるための画像を表示する機能を含む。ディスプレイパネル１３０は、図２に示す操作装置１５及び表示装置１６によって実現される。
【００４１】
ネットワークＩ／Ｆ１４０は、プロジェクタ１がネットワークを介してクライアント端末２等の他の装置と通信するためのインタフェースであり、Ｅｔｈｅｒｎｅｔ（登録商標）やＵＳＢ、Ｂｌｕｅｔｏｏｔｈ（登録商標）、Ｗｉ−Ｆｉ（登録商標）、ＦｅｌｉＣａ（登録商標）、ＰＣＩｅ、ＩＥＥＥ規格などのインタフェースが用いられる。等のインタフェースが用いられる。ネットワークＩ／Ｆ１４０は、図２に示す通信Ｉ／Ｆ１７によって実現される。
【００４２】
投影機構１５０は、光源から射出される光束を変調して光学像を形成し、形成した投影画像を壁やスクリーンなどの投影面上に拡大して投影表示するための出力インタフェースである。投影機構１５０は、図２に示す投影装置１４によって実現される。
【００４３】
撮影機構１６０は、ＣＣＤやＣＭＯＳ等の固体撮像素子であり、周囲を撮影して電気信号に変換し、プロジェクタ１に入力するための入力インタフェースである。撮影機構１６０は、図２に示す撮影装置１８によって実現される。
【００４４】
コントローラ１１０は、ソフトウェアとハードウェアとの組み合わせによって構成される。即ち、コントローラ１１０は、ＣＰＵ１０がＲＯＭ１２やＨＤＤ１３等の記憶媒体に格納されたプログラムをＲＡＭ１１にロードし、そのプログラムに従って演算を行うことにより構成されるソフトウェア制御部と集積回路等のハードウェアとによって構成される。
【００４５】
主制御部１００は、コントローラ１１０に含まれる各部を制御する役割を担い、コントローラ１１０の各部に命令を与える。また、主制御部１００は、入出力制御部１０２を制御し、ネットワークＩ／Ｆ１４０を介して他の装置にアクセスする。
【００４６】
操作表示制御部１０１は、主制御部１００の制御に従い、ディスプレイパネル１３０に画面表示を行い、若しくは、操作ボタン１２０、ディスプレイパネル１３０を介して入力された情報や信号、命令を主制御部１００に入力する。そして、主制御部１００は、操作表示制御部１０１から入力された情報や信号、命令に従ってコントローラ１１０の各部に命令を与える。
【００４７】
入出力制御部１０２は、主制御部１００の制御に従い、情報や信号、命令をネットワークＩ／Ｆ１４０を介して他の装置に送信し、若しくは、ネットワークＩ／Ｆ１４０を介して入力される情報や信号、命令を主制御部１００に入力する。そして、主制御部１００は、入出力制御部１０２から入力された情報や信号、命令に従ってコントローラ１１０の各部に命令を与える。
【００４８】
投影制御部１０３は、主制御部１００の制御に従い、投影機構１５０を制御し若しくは駆動させ、プロジェクタ１によって表示される映像を制御する映像表示制御部として機能する。撮影制御部１０４は、主制御部１００の制御に従い、撮影機構１６０を制御し若しくは駆動させる。
【００４９】
ユーザ管理部１０５は、映像表示システムの利用者の顔画像と、そのユーザのユーザＩＤとが関連付けられたリストであるユーザリストを管理する。ここで、本実施形態に係るプロジェクタ１がユーザ管理部１０５において管理するユーザリストの一例を図４に示す。図４は、本実施形態に係るプロジェクタ１がユーザ管理部１０５において管理するユーザリストの一例を示す図である。
【００５０】
端末管理部１０６は、各クライアント端末２のＩＰアドレスと、そのクライアント端末２を操作するユーザのユーザＩＤとが関連付けられたリストである端末リストを管理する。ここで、本実施形態に係るプロジェクタ１が端末管理部１０６において管理する端末リストの一例を図５に示す。図５は、本実施形態に係るプロジェクタ１が端末管理部１０６において管理する端末リストの一例を示す図である。即ち、本実施形態においては、ユーザリスト、及び、端末リストが関連情報として使用される。
【００５１】
顔画像比較部１０７は、主催者が操作するクライアント端末２ａから送信されてきた、キャプチャ画像の投影対象となるクライアント端末２を操作する参加者の顔画像と、ユーザ管理部１０５において管理されているユーザリストに登録されている顔画像とを比較する。顔画像比較部１０７は、この比較結果に基づいて、最も一致率の高い顔画像に関連付けられているユーザＩＤをユーザリストから選択する。
【００５２】
投影対象選択部１０８は、顔画像比較部１０７により選択されたユーザＩＤに基づき、端末管理部１０６において管理されている端末リストから、キャプチャ画像の投影対象となるクライアント端末２を選択する。
【００５３】
指示位置検知部１０９は、映像表示システムの利用者が、プロジェクタ１により映像が投影されている画面において指示している位置を検知する。
【００５４】
次に、本実施形態に係るクライアント端末２の機能構成について、図６を参照して説明する。図６は、本実施形態に係るクライアント端末２の機能構成を模式的に示すブロック図である。
【００５５】
図６に示すように、本実施形態に係るクライアント端末２は、コントローラ２１０、マウス／キーボード２２０、ディスプレイパネル２３０、ネットワークＩ／Ｆ２４０、撮影機構２５０を有する。また、コントローラ２１０は、主制御部２００、操作表示制御部２０１、入出力制御部２０２、撮影制御部２０３を有する。
【００５６】
マウス／キーボード２２０は、ユーザがクライアント端末２を直接操作し若しくはプロジェクタ１に対して情報を入力する際の入力インタフェースである。マウス／キーボード２２０は、図２に示す操作装置１５によって実現される。
【００５７】
ディスプレイパネル２３０は、クライアント端末２の状態を視覚的に表示する出力インタフェースであると共に、タッチパネルとしてユーザがクライアント端末２を直接操作し若しくはクライアント端末２に対して情報を入力する際の入力インタフェースでもある。即ち、ディスプレイパネル２３０は、ユーザによる操作を受けるための画像を表示する機能を含む。ディスプレイパネル２３０は、図２に示す操作装置１５及び表示装置１６によって実現される。
【００５８】
ネットワークＩ／Ｆ２４０は、クライアント端末２がネットワークを介してプロジェクタ１等の他の装置と通信するためのインタフェースであり、Ｅｔｈｅｒｎｅｔ（登録商標）やＵＳＢ、Ｂｌｕｅｔｏｏｔｈ（登録商標）、Ｗｉ−Ｆｉ（登録商標）、ＦｅｌｉＣａ（登録商標）、ＰＣＩｅ、ＩＥＥＥ規格などのインタフェースが用いられる。ネットワークＩ／Ｆ２４０は、図２に示す通信Ｉ／Ｆ１７によって実現される。
【００５９】
コントローラ２１０は、ソフトウェアとハードウェアとの組み合わせによって構成される。即ち、コントローラ２１０は、ＣＰＵ１０がＲＯＭ１２やＨＤＤ１３等の記憶媒体に格納されたプログラムをＲＡＭ１１にロードし、そのプログラムに従って演算を行うことにより構成されるソフトウェア制御部と集積回路等のハードウェアとによって構成される。
【００６０】
主制御部２００は、コントローラ２１０に含まれる各部を制御する役割を担い、コントローラ２１０の各部に命令を与える。また、主制御部２００は、入出力制御部２０２を制御し、ネットワークＩ／Ｆ２４０を介して他の装置にアクセスする。
【００６１】
操作表示制御部２０１は、主制御部２００の制御に従い、ディスプレイパネル２３０に画面表示を行い、若しくは、マウス／キーボード２２０、ディスプレイパネル２３０を介して入力された情報や信号、命令を主制御部２００に入力する。そして、主制御部２００は、操作表示制御部２０１から入力された情報や信号、命令に従ってコントローラ２１０の各部に命令を与える。
【００６２】
入出力制御部２０２は、主制御部２００の制御に従い、情報や信号、命令をネットワークＩ／Ｆ２４０を介して他の装置に送信し、若しくは、ネットワークＩ／Ｆ２４０を介して入力される情報や信号、命令を主制御部２００に入力する。そして、主制御部２００は、入出力制御部２０２から入力された情報や信号、命令に従ってコントローラ２１０の各部に命令を与える。
【００６３】
撮影制御部２０３は、主制御部２００の制御に従い、撮影機構２５０を制御し若しくは駆動させる。画面キャプチャ部２０４は、主制御部２００の制御に従い、ディスプレイパネル２３０に表示されている映像をキャプチャ画像として取り込む。
【００６４】
次に、本実施形態に係る映像表示システムの利用者が、自身が操作するクライアント端末２をプロジェクタ１に接続する際の処理について、図７を参照して説明する。図７は、本実施形態に係る映像表示システムの利用者が、自身が操作するクライアント端末２がプロジェクタ１に接続される際の処理を説明するためのシーケンス図である。
【００６５】
尚、図７においては、主催者が、自身が操作するクライアント端末２ａをプロジェクタ１に接続する際の処理について説明するが、参加者が、自身が操作するクライアント端末２ｂ〜２ｚをプロジェクタ１に接続する際の処理についても同様である。
【００６６】
但し、主催者は、自身が操作するクライアント端末２ａを主催者モードでプロジェクタ１に接続し、参加者は、自身が操作するクライアント端末２ｂ〜２ｚを参加者モードでプロジェクタ１に接続する。これにより、プロジェクタ１は、主催者が操作するクライアント端末２ａと参加者が操作するクライアント端末２ｂ〜２ｚとを識別することができる。
【００６７】
図７に示すように、本実施形態に係る映像表示システムの利用者が、自身が操作するクライアント端末２をプロジェクタ１に接続する際にはまず、クライアント端末２ａは、主催者によりクライアント端末２ａのプロジェクタ１への接続操作が開始されると（Ｓ７０１）、プロジェクタ１に対して接続要求を行う（Ｓ７０２）。
【００６８】
そして、プロジェクタ１は、クライアント端末２ａから接続要求を受けると、接続要求元のクライアント端末２ａに対して端末情報取得要求を行う（Ｓ７０３）。
【００６９】
そして、クライアント端末２ａは、プロジェクタ１から端末情報取得要求を受けると、撮影モードを起動して、主催者の顔画像を撮影するための画面（以下、「顔画像撮影画面」とする）を表示する（Ｓ７０４）。
【００７０】
ここで、本実施形態に係るクライアント端末２が表示する顔画像撮影画面の一例を図８に示す。図８は、本実施形態に係るクライアント端末２が表示する顔画像撮影画面の一例を示す図である。図８に示すように、本実施形態に係るクライアント端末２が表示する顔画像撮影画面には、撮影機構２５０による撮影画像に、顔画像を撮影するように促すための文言が表示されている。
【００７１】
そして、クライアント端末２ａは、この顔画像撮影画面において主催者により顔画像撮影操作が行われると（Ｓ７０５）、主催者の顔画像を撮影し（Ｓ７０６）、撮影した顔画像と自身のＩＰアドレスとをセットにして端末情報とし、その端末情報をプロジェクタ１に送信する（Ｓ７０７）。
【００７２】
そして、プロジェクタ１は、クライアント端末２ａから端末情報が送信されてくると、送信されてきた顔画像に対してユーザＩＤを付与し（Ｓ７０８）、ユーザ管理部１０５、及び、端末管理部１０６においてそれぞれ管理しているユーザリスト、及び、端末リストを更新する（Ｓ７０９）。
【００７３】
そして、プロジェクタ１は、接続要求元のクライアント端末２ａに対して接続が完了した旨を応答する（Ｓ７１０）。
【００７４】
一方、クライアント端末２ａは、主催者により終了操作が行われると（Ｓ７１１）、プロジェクタ１に対して切断要求を行う（Ｓ７１２）。
【００７５】
そして、プロジェクタ１は、ユーザ管理部１０５、及び、端末管理部１０６においてそれぞれ管理しているユーザリスト、及び、端末リストをクリアして（Ｓ７１３）、切断要求元のクライアント端末２ａに対して切断が完了した旨を応答する（Ｓ７１４）。
【００７６】
次に、本実施形態に係るプロジェクタ１がクライアント端末２のキャプチャ画像を投影する際の処理について、図９を参照して説明する。図９は、本実施形態に係るプロジェクタ１がクライアント端末２のキャプチャ画像を投影する際の処理を説明するための図である。
【００７７】
図９に示すように、本実施形態に係るプロジェクタ１がクライアント端末２のキャプチャ画像を投影する際にはまず、クライアント端末２ａは、主催者により投影対象選択モードの起動操作が行われると（Ｓ９０１）、キャプチャ画像の投影対象となるクライアント端末２を操作する参加者を選択するための画面（以下、「投影対象選択画面」とする）を表示する（Ｓ９０２）。
【００７８】
ここで、本実施形態に係るクライアント端末２が表示する投影対象選択画面の一例を図１０に示す。図１０は、本実施形態に係るクライアント端末２が表示する投影対象選択画面の一例を示す図である。図１０に示すように、本実施形態に係るクライアント端末２が表示する投影対象選択画面には、撮影機構２５０による撮影画像に、キャプチャ画像の投影対象となるクライアント端末２を操作する参加者を選択するように促すための文言が表示されている。即ち、本実施形態においては、撮影機構２５０が撮影部として機能する。
【００７９】
そして、クライアント端末２ａは、この投影対象選択画面において主催者により、キャプチャ画像の投影対象となるクライアント端末２を操作する参加者の選択操作が行われると（Ｓ９０３）、撮影機構２５０により、選択された参加者の顔画像を撮影し（Ｓ９０４）、撮影した顔画像をプロジェクタ１に送信する（Ｓ９０５）。
【００８０】
そして、プロジェクタ１は、顔画像比較部１０７により、クライアント端末２ａから送信されてきた顔画像と、ユーザ管理部１０５において管理しているユーザリストに登録されている顔画像とを比較し（Ｓ９０６）、最も一致率が高い顔画像に関連付けられているユーザＩＤを、ユーザ管理部１０５において管理しているユーザリストから選択する（Ｓ９０７）。このとき、本実施形態においては、主制御部１００が顔画像取得部として機能する。
【００８１】
そして、プロジェクタ１は、投影対象選択部１０８により、端末管理部１０６において管理している端末リストから、Ｓ９０７において選択したユーザＩＤに関連付けられているＩＰアドレスを選択し（Ｓ９０８）、選択したＩＰアドレスに該当するクライアント端末２にキャプチャ画像取得要求を送信する（Ｓ９０９）。即ち、本実施形態においては、投影対象選択部１０８が情報処理装置選択部として機能し、ＩＰアドレスが、各クライアント端末２のネットワーク４上における所在地を識別するための所在地識別情報として使用される。
【００８２】
そして、キャプチャ画像取得要求を受信したクライアント端末２は、画面キャプチャ部２０４によりキャプチャ画像を取り込み、取り込んだキャプチャ画像に基づいて映像信号を生成し、生成した映像信号をプロジェクタ１に送信する（Ｓ９１０）。
【００８３】
そして、プロジェクタ１は、クライアント端末２からキャプチャ画像の映像信号が送信されてくると、受信したキャプチャ画像の映像信号に基づき、投影対象となっているクライアント端末２のキャプチャ画像を投影する（Ｓ９１１）。このとき、主制御部１００が映像信号取得部として機能する。
【００８４】
以上、説明したように、本実施形態に係る映像表示システムはまず、各参加者が操作するクライアント端末２ｂ〜２ｚのＩＰアドレスとその参加者の顔画像とを関連付けてリスト化しておく。
【００８５】
そして、本実施形態に係る映像表示システムは、主催者が、自身が操作するクライアント端末２ａにおいて、キャプチャ画像の投影対象となるクライアント端末２を操作する参加者の顔画像を撮影し、その顔画像に関連付けられているＩＰアドレスを上記リストから選択する。そして、本実施形態に係る映像表示システムにおいて、プロジェクタ１は、このようにして選択されたＩＰアドレスに該当するクライアント端末２のキャプチャ画像を投影する。
【００８６】
本実施形態に係る映像表示システムは、このように構成されることで、キャプチャ画像の投影対象となるクライアント端末２を選択する際、主催者は、該当するクライアント端末２を操作する参加者の顔画像を撮影するだけで良く、自らが複数のクライアント端末２のリストから該当するクライアント端末２を探し出す必要がなくなる。従って、本実施形態に係る映像表示システムは、利便性を向上させることが可能となる。
【００８７】
尚、本実施形態に係る映像表示システムは、プロジェクタ１と各クライアント端末２とがネットワークを介して接続されて構成されているが、さらに、同じネットワーク、若しくは、そのネットワークと公衆回線を介して接続された異なるネットワークに接続されたサーバを備え、そのサーバが、ユーザ管理部１０５、端末管理部１０６、顔画像比較部１０７、投影対象選択部１０８に相当する機能を備えるように構成されていても良い。
【００８８】
実施の形態２．
実施の形態１に係る映像表示システムにおいては、クライアント端末２のプロジェクタ１への接続時に都度、主催者や参加者は、顔画像を撮影する必要がある。これは、ＩＰアドレスは、クライアント端末２がネットワークに接続される度に変更になる可能性があるため、実施の形態１に係る映像表示システムは、顔画像とＩＰアドレスとの関連付けを、常に最新のＩＰアドレスにより行わなければならないためである。
【００８９】
そこで、本実施形態に係る映像表示システムはまず、各参加者が操作するクライアント端末２ｂ〜２ｚをプロジェクタ１に登録しておく。このとき、本実施形態に係る映像表示システムは、登録処理として、各参加者が操作するクライアント端末２ｂ〜２ｚのＭＡＣアドレスとその参加者の顔画像とを関連付けてリスト化しておく。
【００９０】
これにより、本実施形態に係る映像表示システムは、主催者や参加者が変更されたり追加されたりする以外は、以降、この登録処理を行わなくて良くなる。これは、ＭＡＣアドレスは、各クライアント端末２に一意であり、変更されることがないためである。
【００９１】
そして、本実施形態に係る映像表示システムは、クライアント端末２によるプロジェクタ１への接続時、各クライアント端末２からＭＡＣアドレスとＩＰアドレスとを取得し、取得したＩＰアドレスを、上記リストに登録されているＭＡＣアドレスのうち、共に取得したＭＡＣアドレスと同一のＭＡＣアドレスに関連付ける。これにより、上記リストにおいて、最新のＩＰアドレスと顔画像とが関連付けられることになる。
【００９２】
そして、本実施形態に係る映像表示システムは、主催者が、自身が操作するクライアント端末２ａにおいて、キャプチャ画像の投影対象となるクライアント端末２を操作する参加者の顔画像を撮影し、その顔画像に関連付けられているＩＰアドレスを上記リストから選択する。そして、本実施形態に係る映像表示システムにおいて、プロジェクタ１は、このようにして選択されたＩＰアドレスに該当するクライアント端末２のキャプチャ画像を投影する。
【００９３】
本実施形態に係る映像表示システムは、このように構成されることで、クライアント端末２のプロジェクタ１への接続時に都度、主催者や参加者による顔画像の撮影が必要なくなる。従って、本実施形態に係る映像表示システムは、利便性をさらに向上させることが可能となる。
【００９４】
以下、図面を参照して、本発明の実施形態を詳細に説明する。尚、実施の形態１と同様の符号を付す構成については、同一または相当部を示すものとし、詳細な説明を省略する。
【００９５】
まず、本実施形態に係るプロジェクタ１が端末管理部１０６において管理する端末リストについて、図１１を参照して説明する。本実施形態に係るプロジェクタ１が端末管理部１０６において管理する端末リストの一例を示す図である。
【００９６】
図１１に示すように、本実施形態に係るプロジェクタ１が端末管理部１０６において管理する端末リストには、各クライアント端末２のＩＰアドレス、ＭＡＣアドレス、そのクライアント端末２を操作するユーザのユーザＩＤが関連付けられている。
【００９７】
次に、本実施形態に係る映像表示システムの利用者が、自身が操作するクライアント端末２をプロジェクタ１に登録する際の処理について、図１２を参照して説明する。図１２は、本実施形態に係る映像表示システムの利用者が、自身が操作するクライアント端末２をプロジェクタ１に登録する際の処理を説明するためのシーケンス図である。
【００９８】
尚、図１２においては、主催者が、自身が操作するクライアント端末２ａをプロジェクタ１に登録する際の処理について説明するが、参加者が、自身が操作するクライアント端末２ｂ〜２ｚをプロジェクタ１に登録する際の処理についても同様である。
【００９９】
但し、主催者は、自身が操作するクライアント端末２ａを主催者モードでプロジェクタ１に登録し、参加者は、自身が操作するクライアント端末２ｂ〜２ｚを参加者モードでプロジェクタ１に登録する。これにより、プロジェクタ１は、主催者が操作するクライアント端末２ａと参加者が操作するクライアント端末２ｂ〜２ｚとを識別することができる。
【０１００】
図１２に示すように、本実施形態に係る映像表示システムの利用者が、自身が操作するクライアント端末２をプロジェクタ１に登録する際にはまず、クライアント端末２ａは、主催者によりクライアント端末２ａのプロジェクタ１への登録操作が開始されると（Ｓ１２０１）、プロジェクタ１に対して登録要求を行う（Ｓ１２０２）。
【０１０１】
そして、プロジェクタ１は、クライアント端末２ａから登録要求を受けると、登録要求元のクライアント端末２ａに対して端末情報取得要求を行う（Ｓ１２０３）。
【０１０２】
そして、クライアント端末２ａは、プロジェクタ１から端末情報取得要求を受けると、撮影モードを起動して、主催者の顔画像を撮影するための画面（顔画像撮影画面）を表示する（Ｓ１２０４）。この顔画像撮影画面については、図８を参照して説明した通りである。
【０１０３】
そして、クライアント端末２ａは、この顔画像撮影画面において主催者により顔画像撮影操作が行われると（Ｓ１２０５）、主催者の顔画像を撮影し（Ｓ１２０６）、撮影した顔画像と自身のＭＡＣアドレスとをセットにして端末情報とし、その端末情報をプロジェクタ１に送信する（Ｓ１２０７）。
【０１０４】
そして、プロジェクタ１は、クライアント端末２ａから端末情報が送信されてくると、送信されてきた顔画像に対してユーザＩＤを付与し（Ｓ１２０８）、ユーザ管理部１０５、及び、端末管理部１０６においてそれぞれ管理しているユーザリスト、及び、端末リストを更新する（Ｓ１２０９）。このとき、主制御部１００が関連情報登録部として機能する。
【０１０５】
そして、プロジェクタ１は、接続要求元のクライアント端末２ａに対して登録が完了した旨を応答する（Ｓ１２１０）。
【０１０６】
次に、本実施形態に係る映像表示システムの利用者が、自身が操作するクライアント端末２をプロジェクタ１に接続する際の処理について、図１３を参照して説明する。図１３は、本実施形態に係る映像表示システムの利用者が、自身が操作するクライアント端末２をプロジェクタ１に接続する際の処理を説明するためのシーケンス図である。
【０１０７】
尚、図１３においては、主催者が、自身が操作するクライアント端末２ａをプロジェクタ１に接続する際の処理について説明するが、参加者が、自身が操作するクライアント端末２ｂ〜２ｚをプロジェクタ１に接続する際の処理についても同様である。
【０１０８】
但し、主催者は、自身が操作するクライアント端末２ａを主催者モードでプロジェクタ１に接続し、参加者は、自身が操作するクライアント端末２ｂ〜２ｚを参加者モードでプロジェクタ１に接続する。これにより、プロジェクタ１は、主催者が操作するクライアント端末２ａと参加者が操作するクライアント端末２ｂ〜２ｚとを識別することができる。
【０１０９】
図１３に示すように、本実施形態に係る映像表示システムの利用者が、自身が操作するクライアント端末２をプロジェクタ１に接続する際にはまず、クライアント端末２ａは、主催者によりクライアント端末２ａのプロジェクタ１への接続操作が開始されると（Ｓ１３０１）、プロジェクタ１に対して接続要求を行う（Ｓ１３０２）。
【０１１０】
そして、プロジェクタ１は、クライアント端末２ａから接続要求を受けると、接続要求元のクライアント端末２ａに対して端末情報取得要求を行う（Ｓ１３０３）。
【０１１１】
そして、クライアント端末２ａは、自身のＩＰアドレスとＭＡＣアドレスとをセットにして端末情報とし、その端末情報をプロジェクタ１に送信する（Ｓ１３０４）。
【０１１２】
そして、プロジェクタ１は、クライアント端末２ａから端末情報が送信されてくると、送信されてきたＩＰアドレスを、端末管理部１０６において管理している端末リストの登録済みのＭＡＣアドレスのうち、共に送信されてきたＭＡＣアドレスと同一のＭＡＣアドレスに関連付けることで、端末リストを更新する（Ｓ１３０５）。これにより、端末リストにおいて、顔画像と最新のＩＰアドレスとが関連付けられることになる。即ち、本実施形態においては、ＭＡＣアドレスが、各情報処理装置の個体を識別するための個体識別情報として使用される。このとき、主制御部１００が所在地識別情報取得部として、端末管理部１０６が関連付け部としてそれぞれ機能する。
【０１１３】
そして、プロジェクタ１は、接続要求元のクライアント端末２ａに対して接続が完了した旨を応答する（Ｓ１３０６）。
【０１１４】
一方、クライアント端末２ａは、主催者により終了操作が行われると（Ｓ１３０７）、プロジェクタ１に対して切断要求を行う（Ｓ１３０８）。
【０１１５】
そして、プロジェクタ１は、端末管理部１０６において管理している端末リストのＩＰアドレス部分のみをクリアして（Ｓ１３０９）、切断要求元のクライアント端末２ａに対して切断が完了した旨を応答する（Ｓ１３１０）。
【０１１６】
以上、説明したように、本実施形態に係る映像表示システムはまず、各参加者が操作するクライアント端末２ｂ〜２ｚのＭＡＣアドレスとその参加者の顔画像とを関連付けてリスト化することで、クライアント端末２を映像表示システムに登録しておく。これにより、本実施形態に係る映像表示システムは、主催者や参加者が変更されたり追加されたりする以外は、以降、この登録処理を行わなくて良くなる。これは、ＭＡＣアドレスは、各クライアント端末２に一意であり、変更されることがないためである。
【０１１７】
そして、本実施形態に係る映像表示システムは、クライアント端末２によるプロジェクタ１への接続時、各クライアント端末２からＭＡＣアドレスとＩＰアドレスとを取得し、取得したＩＰアドレスを、上記リストに登録されているＭＡＣアドレスのうち、共に取得したＭＡＣアドレスと同一のＭＡＣアドレスに関連付ける。これにより、上記リストにおいて、最新のＩＰアドレスと顔画像とが関連付けられることになる。
【０１１８】
そして、本実施形態に係る映像表示システムは、主催者が、自身が操作するクライアント端末２ａにおいて、キャプチャ画像の投影対象となるクライアント端末２を操作する参加者の顔画像を撮影し、その顔画像に関連付けられているＩＰアドレスを上記リストから選択する。そして、本実施形態に係る映像表示システムにおいて、プロジェクタ１は、このようにして選択されたＩＰアドレスに該当するクライアント端末２のキャプチャ画像を投影する。
【０１１９】
本実施形態に係る映像表示システムは、このように構成されることで、クライアント端末２のプロジェクタ１への接続時に都度、主催者や参加者による顔画像の撮影が必要なくなる。従って、本実施形態に係る映像表示システムは、利便性をさらに向上させることが可能となる。
【０１２０】
尚、本実施形態に係るプロジェクタ１がクライアント端末２のキャプチャ画像を投影する際の処理については、実施の形態１において図９を参照して説明した通りである。
【０１２１】
実施の形態３．
実施の形態１、２に係る映像表示システムにおいては、主催者、参加者は、都度、自身が操作するクライアント端末２をプロジェクタ１へ接続する必要がある。
【０１２２】
そこで、本実施形態に係る映像表示システムはまず、各参加者が操作するクライアント端末２ｂ〜２ｚのＭＡＣアドレスとその参加者の顔画像とを関連付けてリスト化しておくと共に、各クライアント端末２ｂ〜２ｚのＩＰアドレスからＭＡＣアドレスを求めるためのＡＲＰ（Ａｄｄｒｅｓｓ  Ｒｅｓｏｌｕｔｉｏｎ  Ｐｒｏｔｏｃｏｌ）テーブルを作成しておく。
【０１２３】
そして、本実施形態に係る映像表示システムは、同一のセグメントのネットワークに接続されている各クライアント端末２のＩＰアドレスをＤＨＣＰサーバ３から取得し、取得したＩＰアドレスを対象としてＡＲＰリクエストをブロードキャストする。
【０１２４】
そして、本実施形態に係る映像表示システムは、ＡＲＰテーブルに登録されているＭＡＣアドレスのうち、ＡＲＰリクエストにより取得したＭＡＣアドレスと同一のＭＡＣアドレスに、ＡＲＰリクエストの対象となったＩＰアドレスを関連付ける。これにより、ＡＲＰテーブルが完成する。
【０１２５】
そして、本実施形態に係る映像表示システムは、主催者が、自身が操作するクライアント端末２ａにおいて、キャプチャ画像の投影対象となるクライアント端末２を操作する参加者の顔画像を撮影し、その顔画像に関連付けられているＭＡＣアドレスを上記リストから選択する。
【０１２６】
そして、本実施形態に係る映像表示システムは、ＡＲＰテーブルに登録されているＭＡＣアドレスのうち、顔画像に基づいて選択したＭＡＣアドレスと同一のＭＡＣアドレスに関連付けられているＩＰアドレスを選択する。そして、本実施形態に係る映像表示システムにおいて、プロジェクタ１は、このようにして選択されたＩＰアドレスに該当するクライアント端末２のキャプチャ画像を投影する。
【０１２７】
本実施形態に係る映像表示システムは、このように構成されることで、主催者、参加者は、都度、自身が操作するクライアント端末２をプロジェクタ１に接続する必要がなくなる。従って、本実施形態に係る映像表示システムは、利便性をさらに向上させることが可能となる。
【０１２８】
以下、図面を参照して、本発明の実施形態を詳細に説明する。尚、実施の形態１、２と同様の符号を付す構成については、同一または相当部を示すものとし、詳細な説明を省略する。
【０１２９】
まず、本実施形態に係るプロジェクタ１の機能構成について、図１４を参照して説明する。図１４は、本実施形態に係るプロジェクタ１の機能構成を模式的に示す図である。図１４に示すように、本実施形態に係るプロジェクタ１は、実施の形態１、２に加えて、ＡＲＰテーブル管理部１６１を備える。
【０１３０】
ＡＲＰテーブル管理部１６１は、ＩＰアドレスからＭＡＣアドレスを求めるためのテーブルであって、各クライアント端末２のＩＰアドレスとＭＡＣアドレスとが関連付けられたＡＲＰテーブルを管理する。ここで、本実施形態に係るプロジェクタ１がＡＲＰテーブル管理部１６１において管理するＡＲＰテーブルの一例を図１５に示す。図１５は、本実施形態に係るプロジェクタ１がＡＲＰテーブル管理部１６１において管理するＡＲＰテーブルの一例を示す図である。
【０１３１】
次に、本実施形態に係るプロジェクタ１が端末管理部１０６において管理する端末リストについて、図１６を参照して説明する。図１６は、本実施形態に係るプロジェクタ１が端末管理部１０６において管理する端末リストの一例を示す図である。
【０１３２】
図１６に示すように、本実施形態に係るプロジェクタ１が端末管理部１０６において管理する端末リストには、各クライアント端末２のＭＡＣアドレスと、そのクライアント端末２を操作するユーザのユーザＩＤとが関連付けられている。
【０１３３】
次に、本実施形態に係る映像表示システムの利用者が、自身が操作するクライアント端末２をプロジェクタ１に登録する際の処理について、図１７を参照して説明する。図１７は、本実施形態に係る映像表示システムの利用者が、自身が操作するクライアント端末２をプロジェクタ１に登録する際の処理を説明するためのシーケンス図である。
【０１３４】
尚、図１７においては、主催者が、自身が操作するクライアント端末２ａをプロジェクタ１に登録する際の処理について説明するが、参加者が、自身が操作するクライアント端末２ｂ〜２ｚをプロジェクタ１に登録する際の処理についても同様である。
【０１３５】
但し、主催者は、自身が操作するクライアント端末２ａを主催者モードでプロジェクタ１に登録し、参加者は、自身が操作するクライアント端末２ｂ〜２ｚを参加者モードでプロジェクタ１に登録する。これにより、プロジェクタ１は、主催者が操作するクライアント端末２ａと参加者が操作するクライアント端末２ｂ〜２ｚとを識別することができる。
【０１３６】
図１７に示すように、本実施形態に係る映像表示システムの利用者が、自身が操作するクライアント端末２をプロジェクタ１に登録する際にはまず、クライアント端末２ａは、主催者によりクライアント端末２ａのプロジェクタ１への登録操作が開始されると（Ｓ１７０１）、プロジェクタ１に対して登録要求を行う（Ｓ１７０２）。
【０１３７】
そして、プロジェクタ１は、クライアント端末２ａから登録要求を受けると、登録要求元のクライアント端末２ａに対して端末情報取得要求を行う（Ｓ１７０３）。
【０１３８】
そして、クライアント端末２ａは、プロジェクタ１から端末情報取得要求を受けると、撮影モードを起動して、主催者の顔画像を撮影するための画面（顔画像撮影画面）を表示する（Ｓ１７０４）。この顔画像撮影画面については、図８を参照して説明した通りである。
【０１３９】
そして、クライアント端末２ａは、この顔画像撮影画面において主催者により顔画像撮影操作が行われると（Ｓ１７０５）、主催者の顔画像を撮影し（Ｓ１７０６）、撮影した顔画像と自身のＭＡＣアドレスとをセットにして端末情報とし、その端末情報をプロジェクタ１に送信する（Ｓ１７０７）。
【０１４０】
そして、プロジェクタ１は、クライアント端末２ａから端末情報が送信されてくると、送信されてきた顔画像に対してユーザＩＤを付与し（Ｓ１７０８）、ユーザ管理部１０５、端末管理部１０６、ＡＲＰテーブル管理部１６１においてそれぞれ管理しているユーザリスト、端末リスト、ＡＲＰテーブルを更新する（Ｓ１７０９）。尚、この時点で、ＡＲＰテーブルにはＭＡＣアドレスが登録されているのみで、ＩＰアドレスは登録されていない。
【０１４１】
そして、プロジェクタ１は、接続要求元のクライアント端末２ａに対して登録が完了した旨を応答する（Ｓ１７１０）。
【０１４２】
次に、本実施形態に係るプロジェクタ１がＡＲＰテーブル管理部１６１において管理しているＡＲＰテーブルを更新する際の処理について、図１８を参照して説明する。図１８は、本実施形態に係るプロジェクタ１がＡＲＰテーブル管理部１６１において管理しているＡＲＰテーブルを更新する際の処理を説明するためのシーケンス図である。
【０１４３】
本実施形態に係るプロジェクタ１がＡＲＰテーブル管理部１６１において管理しているＡＲＰテーブルを更新する際にはまず、プロジェクタ１は、同一のセグメントのネットワークに接続されている各クライアント端末２のＩＰアドレスをＤＨＣＰサーバ３から取得し（Ｓ１８０１）、取得したＩＰアドレスを対象としてＡＲＰリクエストをブロードキャストする（Ｓ１８０２）。
【０１４４】
そして、ＡＲＰリクエストを受けたクライアント端末２は、プロジェクタ１に対して自身のＭＡＣアドレスをＡＲＰリプライで返す（Ｓ１８０３）。
【０１４５】
そして、プロジェクタ１は、ＡＲＰテーブル管理部１６１において管理しているＡＲＰテーブルに登録されているＭＡＣアドレスのうち、ＡＲＰリクエストにより取得したＭＡＣアドレスと同一のＭＡＣアドレスに、ＡＲＰリクエストの対象となったＩＰアドレスを関連付けることでＡＲＰテーブルを更新する（Ｓ１８０４）。これにより、ＡＲＰテーブルが完成する。
【０１４６】
プロジェクタ１は、このようなＡＲＰテーブルの更新処理を定期的に繰り返し行うことにより、ＡＲＰテーブルにおいて、常に、最新のＩＰアドレスとＭＡＣアドレスとが関連付けられることになる。
【０１４７】
次に、本実施形態に係るプロジェクタ１がクライアント端末２のキャプチャ画像を投影する際の処理について、図１９を参照して説明する。図１９は、本実施形態に係るプロジェクタ１がクライアント端末２のキャプチャ画像を投影する際の処理を説明するための図である。
【０１４８】
図１９に示すように、本実施形態に係るプロジェクタ１がクライアント端末２のキャプチャ画像を投影する際にはまず、クライアント端末２ａは、主催者により投影対象選択モードの起動操作が行われると（Ｓ１９０１）、キャプチャ画像の投影対象となるクライアント端末２を操作する参加者を選択するための画面（投影対象選択画面）を表示する（Ｓ１９０２）。この投影対象選択画面については、図１０を参照して説明した通りである。
【０１４９】
そして、クライアント端末２ａは、この投影対象選択画面において主催者により、キャプチャ画像の投影対象となるクライアント端末２を操作する参加者の選択操作が行われると（Ｓ１９０３）、撮影機構２５０により、選択された参加者の顔画像を撮影し（Ｓ１９０４）、撮影した顔画像をプロジェクタ１に送信する（Ｓ１９０５）。
【０１５０】
そして、プロジェクタ１は、顔画像比較部１０７により、クライアント端末２ａから送信されてきた顔画像と、ユーザ管理部１０５において管理しているユーザリストに登録されている顔画像とを比較し（Ｓ１９０６）、最も一致率が高い顔画像に関連付けられているＭＡＣアドレスを、端末管理部１０６において管理している端末リストからから選択する（Ｓ１９０７）。
【０１５１】
そして、プロジェクタ１は、投影対象選択部１０８により、ＡＲＰテーブル管理部１６１において管理しているＡＲＰテーブルから、Ｓ１９０７において選択したＭＡＣアドレスに関連付けられているＩＰアドレスを選択し（Ｓ１９０８）、選択したＩＰアドレスに該当するクライアント端末２にキャプチャ画像取得要求を送信する（Ｓ１９０９）。
【０１５２】
そして、キャプチャ画像取得要求を受信したクライアント端末２は、画面キャプチャ部２０４によりキャプチャ画像を取り込み、取り込んだキャプチャ画像に基づいて映像信号を生成し、生成した映像信号をプロジェクタ１に送信する（Ｓ１９１０）。
【０１５３】
そして、プロジェクタ１は、クライアント端末２からキャプチャ画像の映像信号が送信されてくると、受信したキャプチャ画像の映像信号に基づき、投影対象となっているクライアント端末２のキャプチャ画像を投影する（Ｓ１９１１）。
【０１５４】
以上、説明したように、本実施形態に係る映像表示システムはまず、各参加者が操作するクライアント端末２ｂ〜２ｚのＭＡＣアドレスとその参加者の顔画像とを関連付けてリスト化しておくと共に、各クライアント端末２ｂ〜２ｚのＩＰアドレスからＭＡＣアドレスを求めるためのＡＲＰ（Ａｄｄｒｅｓｓ  Ｒｅｓｏｌｕｔｉｏｎ  Ｐｒｏｔｏｃｏｌ）テーブルを作成しておく。
【０１５５】
そして、本実施形態に係る映像表示システムは、同一のセグメントのネットワークに接続されている各クライアント端末２のＩＰアドレスをＤＨＣＰサーバ３から取得し、取得したＩＰアドレスを対象としてＡＲＰリクエストをブロードキャストする。
【０１５６】
そして、本実施形態に係る映像表示システムは、ＡＲＰテーブルに登録されているＭＡＣアドレスのうち、ＡＲＰリクエストにより取得したＭＡＣアドレスと同一のＭＡＣアドレスに、ＡＲＰリクエストの対象となったＩＰアドレスを関連付ける。これにより、ＡＲＰテーブルが完成する。
【０１５７】
そして、本実施形態に係る映像表示システムは、主催者が、自身が操作するクライアント端末２ａにおいて、キャプチャ画像の投影対象となるクライアント端末２を操作する参加者の顔画像を撮影し、その顔画像に関連付けられているＭＡＣアドレスを上記リストから選択する。
【０１５８】
そして、本実施形態に係る映像表示システムは、ＡＲＰテーブルに登録されているＭＡＣアドレスのうち、顔画像に基づいて選択したＭＡＣアドレスと同一のＭＡＣアドレスに関連付けられているＩＰアドレスを選択する。そして、本実施形態に係る映像表示システムにおいて、プロジェクタ１は、このようにして選択されたＩＰアドレスに該当するクライアント端末２のキャプチャ画像を投影する。
【０１５９】
本実施形態に係る映像表示システムは、このように構成されることで、主催者、参加者は、都度、自身が操作するクライアント端末２をプロジェクタ１に接続する必要がなくなる。従って、本実施形態に係る映像表示システムは、利便性をさらに向上させることが可能となる。
【０１６０】
尚、本実施形態に係る映像表示システムは、プロジェクタ１と各クライアント端末２とがネットワークを介して接続されて構成されているが、さらに、同じネットワーク、若しくは、そのネットワークと公衆回線を介して接続された異なるネットワークに接続されたサーバを備え、そのサーバが、ユーザ管理部１０５、端末管理部１０６、顔画像比較部１０７、投影対象選択部１０８、ＡＲＰテーブル管理部１６１に相当する機能を備えるように構成されていても良い。
【０１６１】
実施の形態４．
実施の形態１〜３に係る映像表示システムは、主催者、参加者がそれぞれ、自身が操作するクライアント端末２において顔画像を撮影するように構成されている。そのため、実施の形態１〜３に係る映像表示システムにおいては、各クライアント端末２ａ〜２ｚは、撮影機能を備えている必要がある。
【０１６２】
そこで、本実施形態に係る映像表示システムは、主催者、参加者がプロジェクタ１において顔画像を撮影することが可能なように構成されている。本実施形態に係る映像表示システムは、このように構成されることで、各クライアント端末２ａ〜２ｚは、撮影機能を備える必要がなくなる。
【０１６３】
以下、図面を参照して、本発明の実施形態を詳細に説明する。尚、実施の形態１〜３と同様の符号を付す構成については、同一または相当部を示すものとし、詳細な説明を省略する。
【０１６４】
まず、本実施形態に係るプロジェクタ１が端末管理部１０６において管理する端末リストについて、図２０を参照して説明する。本実施形態に係るプロジェクタ１が端末管理部１０６において管理する端末リストの一例を示す図である。
【０１６５】
図２０に示すように、本実施形態に係るプロジェクタ１が端末管理部１０６において管理する端末リストには、各クライアント端末２の端末名、ＩＰアドレス、ＭＡＣアドレス、そのクライアント端末２を操作するユーザのユーザＩＤ関連付けられている。
【０１６６】
次に、本実施形態に係る映像表示システムの利用者が、自身が操作するクライアント端末２をプロジェクタ１に登録する際の処理について、図２１を参照して説明する。図２１は、本実施形態に係る映像表示システムの利用者が、自身が操作するクライアント端末２をプロジェクタ１に登録する際の処理を説明するためのシーケンス図である。
【０１６７】
尚、主催者は、自身が操作するクライアント端末２ａを、プロジェクタ１を主催者モードにして登録し、参加者は、自身が操作するクライアント端末２ｂ〜２ｚを、プロジェクタ１にして参加者モードで登録する。これにより、プロジェクタ１は、主催者が操作するクライアント端末２ａと参加者が操作するクライアント端末２ｂ〜２ｚとを識別することができる。
【０１６８】
図２１に示すように、本実施形態に係る映像表示システムの利用者が、自身が操作するクライアント端末２をプロジェクタ１に登録する際にはまず、プロジェクタ１は、利用者によりクライアント端末２のプロジェクタ１への登録操作が開始されると（Ｓ２１０１）、同一のセグメントのネットワークに接続されている各クライアント端末２に対して端末情報取得要求を行う（Ｓ２１０２）。
【０１６９】
そして、クライアント端末２は、プロジェクタ１から端末情報取得要求を受けると、自身の端末名、ＩＰアドレス、ＭＡＣアドレスをセットにして端末情報とし、その端末情報をプロジェクタ１に送信する（Ｓ２１０３）。
【０１７０】
そして、プロジェクタ１は、クライアント端末２から端末情報が送信されてくると、送信されてきた顔画像に対してユーザＩＤを付与し（Ｓ２１０４）、ユーザ管理部１０５、及び、端末管理部１０６においてそれぞれ管理しているユーザリスト、及び、端末リストを更新する（Ｓ２１０５）。
【０１７１】
そして、プロジェクタ１は、ユーザ管理部１０５、及び、端末管理部１０６においてそれぞれ管理しているユーザリスト、及び、端末リストに登録されている端末名、ユーザＩＤ、ＩＰアドレス、ＭＡＣアドレス、顔画像の一覧画面（以下、「端末一覧画面」とする）を投影表示する（Ｓ２１０６）。
【０１７２】
ここで、本実施形態に係るクライアント端末２が表示する端末一覧画面の一例を図２２に示す。図２２は、本実施形態に係るクライアント端末２が表示する端末一覧画面の一例を示す図である。
【０１７３】
そして、プロジェクタ１は、この端末一覧画面において利用者により端末選択操作が行われると（Ｓ２１０７）、撮影モードを起動して、利用者の顔画像を撮影するための画面（顔画像撮影画面）を投影表示する（Ｓ２１０８）。この顔画像撮影画面については、図８を参照して説明した通りである。
【０１７４】
そして、プロジェクタ１は、この顔画像撮影画面において利用者により顔画像撮影操作が行われると（Ｓ２１０９）、利用者の顔画像を撮影する（Ｓ２１１０）。
【０１７５】
そして、プロジェクタ１は、Ｓ２１１０において撮影した顔画像を、ユーザ管理部１０５において管理しているユーザリストに登録されているユーザＩＤのうち、端末管理部１０６において管理している端末リストにおいて、Ｓ２１０７において選択されたクライアント端末２に関連付けられているユーザＩＤと同一のユーザＩＤに関連付けることで、ユーザリストを更新する（Ｓ２１１１）。
【０１７６】
以上、説明したように、本実施形態に係る映像表示システムは、主催者、参加者がプロジェクタ１において顔画像を撮影することが可能なように構成されている。本実施形態に係る映像表示システムは、このように構成されることで、各クライアント端末２ａ〜２ｚは、撮影機能を備える必要がなくなる。
【０１７７】
実施の形態５．
実施の形態１〜４に係る映像表示システムは、主催者が、自身が操作するクライアント端末２ａにおいて、キャプチャ画像の投影対象となるクライアント端末２を操作する参加者の顔画像を撮影するように構成されている。そのため、実施の形態１〜４に係る映像表示システムにおいては、クライアント端末２ａは、撮影機能を備えている必要があり、若しくは、主催者がクライアント端末２ａを所持している必要がある。
【０１７８】
そこで、本実施形態に係る映像表示システムは、主催者がプロジェクタ１において、キャプチャ画像の投影対象となるクライアント端末２を操作する参加者の顔画像を撮影することが可能なように構成されている。本実施形態に係る映像表示システムは、このように構成されることで、クライアント端末２ａは、撮影機能を備える必要がなくなり、若しくは、主催者がクライアント端末２ａを所持する必要がなくなる。
【０１７９】
以下、図面を参照して、本発明の実施形態を詳細に説明する。尚、実施の形態１〜４と同様の符号を付す構成については、同一または相当部を示すものとし、詳細な説明を省略する。
【０１８０】
まず、本実施形態に係るプロジェクタ１がクライアント端末２のキャプチャ画像を投影する際の処理について、図２３を参照して説明する。図２３は、本実施形態に係るプロジェクタ１がクライアント端末２のキャプチャ画像を投影する際の処理を説明するための図である。
【０１８１】
図２３に示すように、本実施形態に係るプロジェクタ１がクライアント端末２のキャプチャ画像を投影する際にはまず、クライアント端末２ａは、主催者により投影対象選択モードの起動操作が行われると（Ｓ２３０１）、キャプチャ画像の投影対象となるクライアント端末２を操作する参加者を選択するための画面（投影対象選択画面）を表示する（Ｓ１９０２）。この投影対象選択画面については、図１０を参照して説明した通りである。
【０１８２】
そして、クライアント端末２ａは、この投影対象選択画面において主催者により、キャプチャ画像の投影対象となるクライアント端末２を操作する参加者の選択操作が行われると（Ｓ２３０３）、主催者による選択位置を指示位置検知部１０９により特定する（Ｓ２３０４）。
【０１８３】
そして、プロジェクタ１は、撮影機構２５０により、選択された参加者の顔画像を撮影し（Ｓ２３０５）、顔画像比較部１０７により、撮影した顔画像と、ユーザ管理部１０５において管理しているユーザリストに登録されている顔画像とを比較し（Ｓ２３０６）、最も一致率が高い顔画像に関連付けられているユーザＩＤを、ユーザ管理部１０５において管理しているユーザリストから選択する（Ｓ２３０７）。
【０１８４】
そして、プロジェクタ１は、投影対象選択部１０８により、端末管理部１０６において管理している端末リストから、Ｓ２３０７において選択したユーザＩＤに関連付けられているＩＰアドレスを選択し（Ｓ２３０８）、選択したＩＰアドレスに該当するクライアント端末２にキャプチャ画像取得要求を送信する（Ｓ２３０９）。
【０１８５】
そして、キャプチャ画像取得要求を受信したクライアント端末２は、画面キャプチャ部２０４によりキャプチャ画像を取り込み、取り込んだキャプチャ画像に基づいて映像信号を生成し、生成した映像信号をプロジェクタ１に送信する（Ｓ２３１０）。
【０１８６】
そして、プロジェクタ１は、クライアント端末２からキャプチャ画像の映像信号が送信されてくると、受信したキャプチャ画像の映像信号に基づき、投影対象となっているクライアント端末２のキャプチャ画像を投影する（Ｓ２３１１）。
【０１８７】
以上、説明したように、本実施形態に係る映像表示システムは、主催者がプロジェクタ１において、キャプチャ画像の投影対象となるクライアント端末２を操作する参加者の顔画像を撮影することが可能なように構成されている。本実施形態に係る映像表示システムは、このように構成されることで、クライアント端末２ａは、撮影機能を備える必要がなくなり、若しくは、主催者がクライアント端末２ａを所持する必要がなくなる。
【０１８８】
実施の形態６．
実施の形態１〜５に係る映像表示システムにおいては、プロジェクタ１は、クライアント端末２のキャプチャ画像を一度に１台分のみ投影表示するように構成されている。そのため、実施の形態１〜５に係る映像表示システムにおいては、主催者、参加者は、クライアント端末２のキャプチャ画像を一度に１台分しか見ることができない。
【０１８９】
そこで、本実施形態に係る映像表示システムにおいて、プロジェクタ１は、クライアント端末２のキャプチャ画像を複数台分まとめて一度に投影表示することができるように構成されている。本実施形態に係る映像表示システムは、このように構成されることで、主催者、参加者は、クライアント端末２のキャプチャ画像を一度に複数台分まとめて見ることが可能となる。
【０１９０】
以下、図面を参照して、本発明の実施形態を詳細に説明する。尚、実施の形態１〜５と同様の符号を付す構成については、同一または相当部を示すものとし、詳細な説明を省略する。
【０１９１】
まず、本実施形態に係るプロジェクタ１が端末管理部１０６において管理する端末リストについて、図２４を参照して説明する。図２４は、本実施形態に係るプロジェクタ１が端末管理部１０６において管理する端末リストの一例を示す図である。
【０１９２】
図２４に示すように、本実施形態に係るプロジェクタ１が端末管理部１０６において管理する端末リストには、各クライアント端末２のＩＰアドレス、そのクライアント端末２を操作するユーザのユーザＩＤ、そのクライアント端末２のキャプチャ画像が現在投影表示中であるかる否かが関連付けられている。尚、図２４においては、「投影中？」欄において「○」が登録されているクライアント端末２は、現在、キャプチャ画像が投影表示中であることを示し、「×」が登録されているクライアント端末２は、現在、キャプチャ画像が投影表示中ではないことを示す。
【０１９３】
本実施形態に係るプロジェクタ１は、この端末リストを参照することで、キャプチャ画像が現在投影表示中であるクライアント端末２と、投影表示中ではないクライアント端末２とを識別することができる。これにより、本実施形態に係るプロジェクタ１は、同一のクライアント端末２のキャプチャ画像を複数表示することを避けることが可能となる。このとき、主制御部１００が取得元判定部として機能する。
【０１９４】
次に、本実施形態に係るプロジェクタ１が投影面上に投影表示しているキャプチャ画像の一例を図２５に示す。図２５は、本実施形態に係るプロジェクタ１が投影面上に投影表示しているキャプチャ画像の一例を示す図である。
【０１９５】
図２５に示すように、本実施形態に係るプロジェクタ１は、クライアント端末２のキャプチャ画像を複数台分まとめて一度に投影表示することができるように構成されている。尚、図２５においては、クライアント端末２のキャプチャ画像が同時に４台分まとめて投影表示される例について示しているが、本実施形態に係るプロジェクタ１は、それ以外の台数分まとめて同時に投影表示するように構成されていても良い。
【０１９６】
次に、主催者が誤って、自身が操作するクライアント端末２において、キャプチャ画像を投影表示中のクライアント端末２を操作する参加者を再度選択してしまった場合について、図２６を参照して説明する。
【０１９７】
図２６は、本実施形態に係るクライアント端末２が表示する選択不可通知画面の一例を示す図である。ここで、選択不可通知画面とは、主催者が、自身が操作するクライアント端末２ａにおいて、キャプチャ画像を投影表示中のクライアント端末２を操作する参加者を再度選択してしまった場合に表示される画面である。
【０１９８】
図２６に示すように、主催者が誤って、自身が操作するクライアント端末２ａにおいて、キャプチャ画像を投影表示中のクライアント端末２を操作する参加者を再度選択してしまった場合、主催者に、既に選択済みの参加者であることを通知するための文言が表示される。
【０１９９】
次に、主催者が、自身が操作するクライアント端末２ａにおいて、選択した参加者が操作するクライアント端末２のキャプチャ画像が投影表示される位置を指定する場合について、図２７を参照して説明する。
【０２００】
図２７は、本実施形態に係るクライアント端末２が表示する表示位置指定画面の一例を示す図である。ここで、表示位置指定画面とは、主催者が、自身が操作するクライアント端末２ａにおいて、選択した参加者が操作するクライアント端末２のキャプチャ画像が投影表示される位置を指定するための画面である。
【０２０１】
図２７に示すように、主催者は、表示位置指定画面において、選択した参加者が操作するクライアント端末２のキャプチャ画像が投影表示される位置を指定することができる。
【０２０２】
以上、説明したように、本実施形態に係る映像表示システムにおいて、プロジェクタ１は、クライアント端末２のキャプチャ画像を複数台分まとめて一度に投影表示することができるように構成されている。本実施形態に係る映像表示システムは、このように構成されることで、主催者、参加者は、クライアント端末２のキャプチャ画像を一度に複数台分まとめて見ることが可能となる。
【０２０３】
実施の形態７．
実施の形態１〜６に係る映像表示システムにおいて、プロジェクタ１は、主催者が投影対象選択画面を操作することによって選択された参加者が使用しているクライアント端末２のキャプチャ画像を投影表示するように構成されている。そのため、投影対象となるクライアント端末２を指定する操作を行うためには、主催者が投影選択対象となる参加者の撮影し、かつ、投影対象選択画面において撮影された参加者から投影対象となる参加者を選択する必要がある。
【０２０４】
そこで、本実施形態に係る映像表示システムにおいて、プロジェクタ１は、主催者が投影選択対象となる参加者の撮影を行うだけで投影対象となるクライアント端末２を選択できるように構成されている。本実施形態に係る映像表示システムは、このように構成されることによって、主催者が投影対象選択画面において撮影された参加者から投影対象となる参加者を選択する動作を行う必要がなくなる。
【０２０５】
以下、図面を参照して、本発明の実施形態を詳細に説明する。尚、実施の形態１〜６と同様の符号を付す構成については、同一または相当部を示すものとし、実施の形態１〜６と重複する箇所については、重複する説明を省略する。まず、本実施形態に係る映像表示システムの運用形態について、図２８を参照して説明する。図２８は、本実施形態に係る映像表示システムの運用形態を示す図である。
【０２０６】
本実施形態に係る映像表示システムは、プロジェクタ１、クライアント端末２ａ〜２ｚ、ＤＨＣＰサーバ３、カメラ５がネットワーク４を介して接続されている。尚、カメラ５は、通信Ｉ／Ｆ１９を介してプロジェクタ１に接続されている構成であってもよい。また、カメラ５として、クライアント端末２ａ〜２ｚに搭載されている撮影装置１８を使用してもよい。
【０２０７】
尚、カメラ５は図２において説明したものと同様のハードウェアによって構成されるものの、投影装置１４を備えている必要はない。また、ＨＤＤ１３の代わりとして取り外しが可能な可搬性の記憶媒体を用いる構成であってもよい。カメラ５は、人物全員すなわち主催者及び参加者全員を撮影可能な位置に設置されている。
【０２０８】
次に、本実施形態に係るプロジェクタ１の機能構成について、図２９を参照して説明する。図２９は、本実施形態に係るプロジェクタ１の機能構成を模式的に示すブロック図である。
【０２０９】
図２９に示すように、本実施形態に係るプロジェクタ１は、実施の形態１〜６に加えて、ジェスチャ検知部１６２を有する。尚、本実施形態において、プロジェクタ１は、指示位置検知部１０９を含まない構成であってもよい。
【０２１０】
ジェスチャ検知部１６２は、ネットワークＩ／Ｆ１４０を介してカメラ５によって撮影された映像を取得し、取得した映像において、特定のジェスチャを認識し、特定のジェスチャを行っている参加者を検知する動作検知部として機能する。また、ジェスチャ検知部１６２は、特定のジェスチャが検知された参加者の顔画像を抽出する。尚、ジェスチャ検知部１６２は、特定のジェスチャを検知するための特徴量の情報であるジェスチャリストを記憶している。
【０２１１】
本実施形態において、顔画像比較部１０７は、ジェスチャ検知部１６２によって抽出された特定のジェスチャを行った参加者の映像と、ユーザ管理部１０５において管理されているユーザリストに登録されている顔画像とを比較し、最も一致率の高い顔画像に関連付けられているユーザＩＤをユーザリストから選択する。
【０２１２】
次に、本実施形態に係るプロジェクタ１がクライアント端末２のキャプチャ画像を投影する際の処理について、図３０を参照して説明する。図３０は、本実施形態に係るプロジェクタ１がクライアント端末２のキャプチャ画像を投影する際の処理を説明するための図である。
【０２１３】
図３０に示すように、本実施形態に係るプロジェクタ１がクライアント端末２のキャプチャ画像を投影するために、クライアント端末２ａにおいては、主催者による投影対象選択モードの起動操作が行われる（Ｓ３００１）。
【０２１４】
プロジェクタ１は、クライアント端末２ａにおいて投影対象選択モードが起動されると、カメラ５に撮影要求を行う（Ｓ３００２）。カメラ５は、参加者全員が収まるように映像を撮影し（Ｓ３００３）、撮影した映像をプロジェクタ１に送信する（Ｓ３００４）。
【０２１５】
そして、プロジェクタ１は、ジェスチャ検知部１６２により、カメラ５によって撮影された映像から、特定のジェスチャを検知し（Ｓ３００５）、特定のジェスチャを行った参加者の顔画像を抽出する（Ｓ３００６）。
【０２１６】
図３１には、カメラ５によって、参加者（Ａ）と参加者（Ｂ）が撮影された２コマ分の映像を示している。ジェスチャ検知部１６２は、図３１に示すように、カメラ５から連続的に送信されてくる映像において特定の動作（ジェスチャ）を検知し、特定のジェスチャを行った参加者の顔画像を抽出する。
【０２１７】
図３１において、参加者（Ａ）は、腕を上げるジェスチャを行う一方で、参加者（Ｂ）は何ら動作を行っていない。このような場合、ジェスチャ検知部１６２は、ジェスチャを行った参加者（Ａ）の顔画像を抽出し、顔画像比較部１０７に送信する。
【０２１８】
プロジェクタ１は、顔画像比較部１０７により、抽出された顔画像と、ユーザ管理部１０５において管理しているユーザリストに登録されている顔画像とを比較し（Ｓ３００７）、最も一致率が高い顔画像に関連付けられているユーザＩＤを、ユーザ管理部１０５において管理しているユーザリストから選択する（Ｓ３００８）。
【０２１９】
そして、プロジェクタ１は、投影対象選択部１０８により、端末管理部１０６において管理している端末リストから、Ｓ３００８において選択したユーザＩＤに関連付けられているＩＰアドレスを選択し（Ｓ３００９）、選択したＩＰアドレスに該当するクライアント端末２にキャプチャ画像取得要求を送信する（Ｓ３０１０）。
【０２２０】
そして、キャプチャ画像取得要求を受信したクライアント端末２は、画面キャプチャ部２０４によりキャプチャ画像を取り込み、取り込んだキャプチャ画像に基づいて映像信号を生成し、生成した映像信号をプロジェクタ１に送信する（Ｓ３０１１）。
【０２２１】
そして、プロジェクタ１は、クライアント端末２からキャプチャ画像の映像信号が送信されてくると、受信したキャプチャ画像の映像信号に基づき、投影対象となっているクライアント端末２のキャプチャ画像を投影する（Ｓ３０１２）。
【０２２２】
以上、説明したように、本実施形態に係る映像表示システムは、主催者が投影選択対象となる参加者の撮影を行うだけで、プロジェクタ１において投影対象となるクライアント端末２を選択できるように構成されている。本実施形態に係る映像表示システムは、このように構成されることで、主催者が投影対象選択画面において撮影された参加者から投影対象となる参加者を選択する動作を行う必要がなくなる。
【０２２３】
実施の形態８．
実施の形態７に係る映像表示システムにおいて、プロジェクタ１は、特定のジェスチャを行った参加者を検知した瞬間に、その参加者に関連付けられているクライアント端末２のキャプチャ画像を投影する。しかし、実施の形態７に係る映像表示システムにおいて、プロジェクタ１は、複数の参加者が特定のジェスチャを行うことを想定していない。
【０２２４】
そこで、本実施形態に係る映像表示システムにおいて、プロジェクタ１は、優先順位を割り当てることによって、特定のジェスチャを行う参加者が複数いる場合であっても、その優先順位に基づいてクライアント端末２のキャプチャ画像を投影することができる。
【０２２５】
以下、図面を参照して、本発明の実施形態を詳細に説明する。尚、実施の形態１〜７と同様の符号を付す構成については、同一または相当部を示すものとし、実施の形態１〜７と重複する箇所については、重複する説明を省略する。
【０２２６】
まず、本実施形態に係るプロジェクタ１がクライアント端末２のキャプチャ画像を投影する際の処理について、図３２を参照して説明する。図３２は、本実施形態に係るプロジェクタ１がクライアント端末２のキャプチャ画像を投影する際の処理を説明するための図である。
【０２２７】
図３０に示すように、本実施形態に係るプロジェクタ１がクライアント端末２のキャプチャ画像を投影するために、クライアント端末２ａにおいては、主催者による投影対象選択モードの起動操作が行われる（Ｓ３２０１）。
【０２２８】
プロジェクタ１は、クライアント端末２ａにおいて投影対象選択モードが起動されると、カメラ５に撮影要求を行う（Ｓ３２０２）。カメラ５は、参加者全員が収まるように映像を撮影し（Ｓ３２０３）、撮影した映像をプロジェクタ１に送信する（Ｓ３２０４）。
【０２２９】
そして、プロジェクタ１は、ジェスチャ検知部１６２により、カメラ５によって撮影された映像から、特定のジェスチャを検知し（Ｓ３２０５）、特定のジェスチャを行った参加者の顔画像を抽出する（Ｓ３２０６）。
【０２３０】
プロジェクタ１は、顔画像比較部１０７により、抽出された顔画像と、ユーザ管理部１０５において管理しているユーザリストに登録されている顔画像とを比較する（Ｓ３２０７）。顔画像比較部１０７は、Ｓ３２０７の処理の結果、一致した顔画像に対して、ユーザリストに登録されている顔画像に予め割り当てられている優先度を判断する（Ｓ３２０８）。
【０２３１】
図３３には、カメラ５によって、参加者（Ａ）、参加者（Ｂ）、参加者（Ｃ）が撮影された３コマ分の映像を示している。尚、図３４において、参加者（Ａ）にはユーザＩＤ：Ａ、参加者（Ｂ）にはユーザＩＤ：Ｂ、参加者（Ｃ）にはユーザＩＤ：Ｃがそれぞれ割り当てられている。
【０２３２】
ジェスチャ検知部１６２は、図３３に示すように、カメラ５から連続的に送信されてくる映像において特定の動作（ジェスチャ）を検知し、特定のジェスチャを行った参加者の顔画像を抽出する。
【０２３３】
図３３において、参加者（Ａ）が最も早く腕を上げるジェスチャを行う一方で、参加者（Ｃ）は、２コマ目に腕を上げるジェスチャを行う。本実施形態においては、図３４に示すように、ユーザリストに登録されている参加者の顔画像に予め優先度が割り当てられている。
【０２３４】
プロジェクタ１は、顔画像比較部１０７により、それぞれの顔画像に関連付けられているユーザＩＤを、Ｓ３２０８の処理で判断された優先度の順にユーザ管理部１０５において管理しているユーザリストから選択する（Ｓ３２０９）。
【０２３５】
そして、プロジェクタ１は、投影対象選択部１０８により、端末管理部１０６において管理している端末リストから、Ｓ３２０９において選択したユーザＩＤに関連付けられているＩＰアドレスを優先度の順に応じて選択し（Ｓ３２１０）、選択したＩＰアドレスに該当するクライアント端末２にキャプチャ画像取得要求を送信する（Ｓ３２１１）。
【０２３６】
従って、投影対象選択部１０８は、図３３においては、最も早く腕を上げるジェスチャを行った参加者（Ａ）よりも、参加者（Ｃ）を先に投影対象として選択する。
【０２３７】
そして、キャプチャ画像取得要求を受信したクライアント端末２は、画面キャプチャ部２０４によりキャプチャ画像を取り込み、取り込んだキャプチャ画像に基づいて映像信号を生成し、生成した映像信号をプロジェクタ１に送信する（Ｓ３２１２）。
【０２３８】
そして、プロジェクタ１は、クライアント端末２からキャプチャ画像の映像信号が送信されてくると、受信したキャプチャ画像の映像信号に基づき、投影対象となっているクライアント端末２のキャプチャ画像を投影する（Ｓ３２１３）。
【０２３９】
以上、説明したように、本実施形態に係る映像表示システムにおいては、特定のジェスチャを行う参加者が複数いる場合であっても、参加者に割り当てられている優先度に応じてクライアント端末２のキャプチャ画像を投影することができるように構成されている。本実施形態に係る映像表示システムは、このように構成されることで、複数の参加者が特定のジェスチャを行う場合であっても、参加者に割り当てられている優先度に応じてキャプチャ画像を表示させることができる。
【０２４０】
実施の形態９．
実施の形態７、８に係る映像表示システムにおいて、プロジェクタ１は、特定のジェスチャを行なっていることが検知された参加者に関連付けられているクライアント端末２のキャプチャ画像を投影する。しかし、実施の形態７、８に係る映像表示システムにおいて、プロジェクタ１は、主催者によって任意に定められたジェスチャが参加者によって行われることを想定していない。
【０２４１】
そこで、本実施形態に係る映像表示システムにおいて、プロジェクタ１は、主催者の任意のジェスチャをジェスチャ検知部１６２に登録することにより、その任意のジェスチャを行った参加者のクライアント端末２のキャプチャ画像を投影することができる。
【０２４２】
以下、図面を参照して、本発明の実施形態を詳細に説明する。尚、実施の形態１〜８と同様の符号を付す構成については、同一または相当部を示すものとし、実施の形態１〜８と重複する箇所については、重複する説明を省略する。
【０２４３】
まず、本実施形態に係るプロジェクタ１が、ジェスチャ検知部１６２による検知対象となるジェスチャを登録する際の処理について図３５を参照して説明する。図３５は、本実施形態に係る検知対象となるジェスチャを登録する処理を説明するための図である。
【０２４４】
図３５に示すように、本実施形態に係るプロジェクタ１が検知対象となるジェスチャを登録するために、クライアント端末２ａにおいては、主催者によるジェスチャ登録操作が行われる（Ｓ３５０１）。
【０２４５】
プロジェクタ１は、クライアント端末２ａにおいてジェスチャ登録操作が行われると、カメラ５からジェスチャを撮影した映像が送信されてくるまで待機する（Ｓ３５０２）。主催者は、任意のジェスチャを行い、カメラ５に任意のジェスチャの映像を撮影させる（Ｓ３５０３）。
【０２４６】
カメラ５は、撮影したジェスチャの映像をプロジェクタ１に送信し（Ｓ３５０４）、プロジェクタ１は、ジェスチャ検知部１６２により、受信したジェスチャの映像の特徴量を抽出する。そして、ジェスチャ検知部１６２は、ジェスチャの映像における特徴量の情報にジェスチャＩＤを付与し（Ｓ３５０５）、ジェスチャ検知部１６２に記憶されているジェスチャリストに登録する（Ｓ３５０６）。
【０２４７】
図３６は、本実施形態に係るジェスチャリストを示す図である。図３６に示すように、本実施形態に係るジェスチャリストには、ジェスチャの映像における特徴量の情報であるジェスチャパターンと、ジェスチャＩＤとが関連付けられて記憶されている。本実施形態において、ジェスチャ検知部１６２は、図３６に示すようなジェスチャリストに基づいて、参加者が行うジェスチャを検知する。尚、図３５の処理を繰り返し行うことにより、ジェスチャリストに複数の種類のジェスチャパターンを記憶させることができる。
【０２４８】
次に、本実施形態に係るプロジェクタ１がクライアント端末２のキャプチャ画像を投影する際の処理について、図３７を参照して説明する。図３７は、本実施形態に係るプロジェクタ１がクライアント端末２のキャプチャ画像を投影する際の処理を説明するための図である。
【０２４９】
図３７に示すように、本実施形態に係るプロジェクタ１がクライアント端末２のキャプチャ画像を投影するために、クライアント端末２ａにおいては、主催者による投影対象選択モードの起動操作が行われる（Ｓ３７０１）。
【０２５０】
プロジェクタ１は、クライアント端末２ａにおいて投影対象選択モードが起動されると、カメラ５に撮影要求を行う（Ｓ３７０２）。カメラ５は、参加者全員が収まるように映像を撮影し（Ｓ３７０３）、撮影した映像をプロジェクタ１に送信する（Ｓ３７０４）。
【０２５１】
そして、プロジェクタ１は、ジェスチャ検知部１６２により、カメラ５によって撮影された映像から、ジェスチャを検知し（Ｓ３７０５）、検知されたジェスチャがジェスチャリストに登録されているか否か照合する（Ｓ３７０６）。ジェスチャ検知部１６２は、検知されたジェスチャがジェスチャリストに登録されているジェスチャと一致したことを確認し、ジェスチャを行った参加者の顔画像を抽出する（Ｓ３７０７）。
【０２５２】
プロジェクタ１は、顔画像比較部１０７により、抽出された顔画像と、ユーザ管理部１０５において管理しているユーザリストに登録されている顔画像とを比較し（Ｓ３７０８）、最も一致率が高い顔画像に関連付けられているユーザＩＤを、ユーザ管理部１０５において管理しているユーザリストから選択する（Ｓ３７０９）。
【０２５３】
そして、プロジェクタ１は、投影対象選択部１０８により、端末管理部１０６において管理している端末リストから、Ｓ３７０９において選択したユーザＩＤに関連付けられているＩＰアドレスを選択し（Ｓ３７１０）、選択したＩＰアドレスに該当するクライアント端末２にキャプチャ画像取得要求を送信する（Ｓ３７１１）。
【０２５４】
そして、キャプチャ画像取得要求を受信したクライアント端末２は、画面キャプチャ部２０４によりキャプチャ画像を取り込み、取り込んだキャプチャ画像に基づいて映像信号を生成し、生成した映像信号をプロジェクタ１に送信する（Ｓ３７１２）。
【０２５５】
そして、プロジェクタ１は、クライアント端末２からキャプチャ画像の映像信号が送信されてくると、受信したキャプチャ画像の映像信号に基づき、投影対象となっているクライアント端末２のキャプチャ画像を投影する（Ｓ３７１３）。
【０２５６】
以上、説明したように、本実施形態に係る映像表示システムにおいては、主催者の任意のジェスチャを行う参加者に割り当てられている優先度に応じてクライアント端末２のキャプチャ画像を投影することができるように構成されている。本実施形態に係る映像表示システムは、このように構成されることで、主催者が任意に設定したジェスチャを行った参加者に割り当てられているクライアント端末２のキャプチャ画像を表示させることができる。
【０２５７】
実施の形態１０．
実施の形態７〜９に係る映像表示システムにおいて、プロジェクタ１は、特定のジェスチャを行っていることが検知された参加者に関連付けられているクライアント端末２のキャプチャ画像を投影する。しかし、実施の形態７〜９に係る映像表示システムにおいて、プロジェクタ１は、投影対象となったクライアント端末２のキャプチャ画像を投影することしかできない。
【０２５８】
そこで、本実施形態に係る映像表示システムにおいて、プロジェクタ１は、ジェスチャごとに、クライアント端末２の投影動作を制御するための情報を設定することにより、参加者がジェスチャを行うだけで、クライアント端末２の投影動作を制御することができる。
【０２５９】
以下、図面を参照して、本発明の実施形態を詳細に説明する。尚、実施の形態１〜９と同様の符号を付す構成については、同一または相当部を示すものとし、実施の形態１〜９と重複する箇所については、重複する説明を省略する。
【０２６０】
まず、本実施形態に係るプロジェクタ１が、ジェスチャ検知部１６２による検知対象となるジェスチャ及びクライアント端末２の投影動作を制御するための情報を関連付けて登録する際の処理について図３８を参照して説明する。図３８は、本実施形態に係る検知対象となるジェスチャを登録する処理を説明するための図である。
【０２６１】
図３８に示すように、本実施形態に係るプロジェクタ１が検知対象となるジェスチャ及びクライアント端末２の投影動作を制御するための情報を登録するために、クライアント端末２ａにおいては、主催者によるジェスチャ登録操作（Ｓ３８０１）及び端末動作を設定するための操作（以下、「端末動作設定操作」という）が行われる（Ｓ３８０２）。
【０２６２】
プロジェクタ１は、クライアント端末２ａにおいてジェスチャ登録操作及び端末動作設定操作が行われると、カメラ５からジェスチャを撮影した映像が送信されてくるまで待機する（Ｓ３８０３）。主催者は、任意のジェスチャを行い、カメラ５に任意のジェスチャの映像を撮影させる（Ｓ３８０４）。
【０２６３】
カメラ５は、撮影したジェスチャの映像をプロジェクタ１に送信し（Ｓ３８０５）、プロジェクタ１は、ジェスチャ検知部１６２により、受信したジェスチャの映像の特徴量を抽出する。そして、ジェスチャ検知部１６２は、ジェスチャの映像における特徴量の情報にジェスチャＩＤを付与し（Ｓ３８０６）、端末動作設定操作によって設定されたクライアント端末２の投影動作を制御するための情報を設定する（Ｓ３８０７）。
【０２６４】
そして、ジェスチャ検知部１６２は、これらの情報をジェスチャ検知部１６２に記憶されているジェスチャリストに登録する（Ｓ３８０８）。従って、ジェスチャ検知部１６２は、関連端末動作情報保存部として機能する。
【０２６５】
図３９は、本実施形態に係るジェスチャリストを示す図である。図３９に示すように、本実施形態に係るジェスチャリストには、ジェスチャパターン、ジェスチャＩＤ、クライアント端末２の投影動作を制御するための情報（以下、「関連端末動作情報」という）が関連付けられて記憶されている。
【０２６６】
本実施形態において、プロジェクタ１は、ジェスチャ検知部１６２により、図３９に示すようなジェスチャリストに基づいて、参加者が行うジェスチャを検知し、検知したジェスチャに関連付けられている情報に基づいてクライアント端末２の投影動作を制御する。
【０２６７】
次に、本実施形態に係るプロジェクタ１がクライアント端末２のキャプチャ画像を投影する際の処理について、図４０を参照して説明する。図４０は、本実施形態に係るプロジェクタ１がクライアント端末２のキャプチャ画像を投影する際の処理を説明するための図である。
【０２６８】
図４０に示すように、本実施形態に係るプロジェクタ１がクライアント端末２のキャプチャ画像を投影するために、クライアント端末２ａにおいては、主催者による投影対象選択モードの起動操作が行われる（Ｓ４００１）。
【０２６９】
プロジェクタ１は、クライアント端末２ａにおいて投影対象選択モードが起動されると、カメラ５に撮影要求を行う（Ｓ４００２）。カメラ５は、参加者全員が収まるように映像を撮影し（Ｓ４００３）、撮影した映像をプロジェクタ１に送信する（Ｓ４００４）。
【０２７０】
そして、プロジェクタ１は、ジェスチャ検知部１６２により、カメラ５によって撮影された映像から、ジェスチャを検知し（Ｓ４００５）、検知されたジェスチャがジェスチャリストに登録されているか否か照合する（Ｓ４００６）。ジェスチャ検知部１６２は、検知されたジェスチャがジェスチャリストに登録されているジェスチャと一致したことを確認し、ジェスチャリストから関連端末動作情報を抽出する（Ｓ４００７）。
【０２７１】
そして、ジェスチャ検知部１６２は、カメラ５によって撮影された映像から、ジェスチャを行った参加者の顔画像を抽出する（Ｓ４００８）。
【０２７２】
プロジェクタ１は、顔画像比較部１０７により、抽出された顔画像と、ユーザ管理部１０５において管理しているユーザリストに登録されている顔画像とを比較し（Ｓ４００９）、最も一致率が高い顔画像に関連付けられているユーザＩＤを、ユーザ管理部１０５において管理しているユーザリストから選択する（Ｓ４０１０）。
【０２７３】
そして、プロジェクタ１は、投影対象選択部１０８により、端末管理部１０６において管理している端末リストから、Ｓ４０１０において選択したユーザＩＤに関連付けられているＩＰアドレスを選択し（Ｓ４０１１）、関連端末動作情報を確認する（Ｓ４０１２）。選択したＩＰアドレスに該当するクライアント端末２に関連端末動作情報を送信する（Ｓ４０１３）。
【０２７４】
そして、関連端末動作情報を受信したクライアント端末２は、ジェスチャリストにおいて設定されている関連端末動作を実行する（Ｓ４０１４）。プロジェクタ１は、画面キャプチャ部２０４により、クライアント端末２における関連端末動作を投影状況に反映させる（Ｓ４０１５）。
【０２７５】
このとき、例えば、ジェスチャ検知部１６２によって、ジェスチャＩＤ：１のジェスチャが検知された場合、プロジェクタ１にクライアント端末２のキャプチャ画像が投影開始される。また、ジェスチャ検知部１６２によって、ジェスチャＩＤ：２のジェスチャが検知された場合、プロジェクタ１に投影されていたクライアント端末２のキャプチャ画像の投影が終了される。
【０２７６】
また、ジェスチャ検知部１６２によって、ジェスチャＩＤ：３のジェスチャが検知された場合、プロジェクタ１に投影されていたクライアント端末２のキャプチャ画像の投影が一時停止される。また、ジェスチャ検知部１６２によって、ジェスチャＩＤ：４のジェスチャが検知された場合、プロジェクタ１に投影されていたクライアント端末２のキャプチャ画像の投影が再開される。
【０２７７】
以上、説明したように、本実施形態に係る映像表示システムにおいて、プロジェクタ１は、ジェスチャごとに、クライアント端末２の投影動作を制御するための情報を設定することにより、参加者がジェスチャを行うだけで、クライアント端末２の投影動作を制御することができる。
【０２７８】
実施の形態１１．
実施の形態７〜１０に係る映像表示システムにおいて、プロジェクタ１は、特定のジェスチャを行っていることが検知された参加者に関連付けられているクライアント端末２のキャプチャ画像を投影する。しかし、実施の形態７〜１０に係る映像表示システムにおいて、投影対象となったクライアント端末２に関連付けられている参加者は、任意のタイミングでキャプチャ画像の投影を終了させることができない。
【０２７９】
そこで、本実施形態に係る映像表示システムにおいて、プロジェクタ１は、投影対象となったクライアント端末２に関連付けられている参加者にのみ、クライアント端末２の投影動作を制御可能にすることにより、参加者の任意のタイミングで、クライアント端末２の投影動作を制御することができる。
【０２８０】
以下、図面を参照して、本発明の実施形態を詳細に説明する。尚、実施の形態１〜１０と同様の符号を付す構成については、同一または相当部を示すものとし、実施の形態１〜１０と重複する箇所については、重複する説明を省略する。
【０２８１】
次に、本実施形態に係るプロジェクタ１がクライアント端末２のキャプチャ画像の投影を終了させる際の処理について、図４１を参照して説明する。図４１は、本実施形態に係るプロジェクタ１がクライアント端末２のキャプチャ画像の投影を終了させる処理を説明するための図である。
【０２８２】
図４１に示すように、本実施形態に係るプロジェクタ１がクライアント端末２のキャプチャ画像の投影を終了させるために、クライアント端末２ａにおいては、主催者による投影対象選択モードの起動操作が行われる（Ｓ４１０１）。
【０２８３】
プロジェクタ１は、クライアント端末２ａにおいて投影対象選択モードが起動されると、カメラ５に撮影要求を行う（Ｓ４１０２）。カメラ５は、参加者全員が収まるように映像を撮影し（Ｓ４１０３）、撮影した映像をプロジェクタ１に送信する（Ｓ４１０４）。
【０２８４】
そして、プロジェクタ１は、ジェスチャ検知部１６２により、カメラ５によって撮影された映像から、ジェスチャを検知し（Ｓ４１０５）、検知されたジェスチャがジェスチャリストに登録されているか否か照合する（Ｓ４１０６）。ジェスチャ検知部１６２は、検知されたジェスチャがジェスチャリストに登録されているジェスチャと一致したことを確認し
カメラ５によって撮影された映像から、ジェスチャを行った参加者の顔画像を抽出する（Ｓ４１０７）。
【０２８５】
プロジェクタ１は、顔画像比較部１０７により、抽出された顔画像と、ユーザ管理部１０５において管理しているユーザリストに登録されている顔画像とを比較し（Ｓ４１０８）、最も一致率が高い顔画像に関連付けられているユーザＩＤを、ユーザ管理部１０５において管理しているユーザリストから選択する（Ｓ４１０９）。
【０２８６】
そして、プロジェクタ１は、投影対象選択部１０８により、端末管理部１０６において管理している端末リストから、Ｓ４１０９において選択したユーザＩＤに関連付けられているＩＰアドレスを選択し（Ｓ４１１０）、操作許可設定情報を確認する（Ｓ４１１１）。
【０２８７】
操作許可設定情報とは、図４２に示すように、投影対象選択部１０８によって投影対象と選択された参加者が、投影されているクライアント端末２に関連つけられている参加者本人であるか否かによって、クライアント端末２の投影を制御する操作を許可するか否かが設定されている情報である。尚、この操作許可設定情報は、本実施形態において、端末管理部１０６に記憶されている。
【０２８８】
以下、投影対象選択部１０８によって投影対象と選択された参加者が、投影されているクライアント端末２に関連つけられている参加者本人であると仮定して、説明を行う。プロジェクタ１は、主制御部１００により、操作許可設定情報を投影対象選択部１０８によって投影対象と選択されたクライアント端末２に送信する（Ｓ４１１２）。
【０２８９】
クライアント端末２は、操作許可設定情報を受信すると、操作表示制御部２０１により、クライアント端末２の投影を制御する操作を許可することを示す表示情報である操作許可表示をディスプレイパネル２３０に表示させる（Ｓ４１１３）。
【０２９０】
クライアント端末２において、操作許可表示が表示されている間、参加者によって投影終了操作が実行される（Ｓ４１１４）と、クライアント端末２は、キャプチャ画像の送信を停止し（Ｓ４１１５）、プロジェクタ１は、クライアント端末２のキャプチャ画像の投影を終了する（Ｓ４１１６）。
【０２９１】
以上、説明したように、本実施形態に係る映像表示システムにおいて、プロジェクタ１は、投影対象となったクライアント端末２に関連付けられている参加者にのみ、クライアント端末２の投影動作を制御可能にすることにより、参加者の任意のタイミングで、クライアント端末２の投影動作を制御することができる。
【符号の説明】
【０２９２】
１  プロジェクタ
２  クライアント端末
３  ＤＨＣＰサーバ
４  ネットワーク
１０  ＣＰＵ
１１  ＲＡＭ
１２  ＲＯＭ
１３  ＨＤＤ
１４  投影装置
１５  操作装置
１６  表示装置
１７  通信Ｉ／Ｆ
１８  撮影装置
１９  バス
１００  主制御部
１０１  操作表示制御部
１０２  入出力制御部
１０３  投影制御部
１０４  撮影制御部
１０５  ユーザ管理部
１０６  端末管理部
１０７  顔画像比較部
１０８  投影対象選択部
１０９  指示位置検知部
１１０  コントローラ
１２０  操作ボタン
１３０  ディスプレイパネル
１４０  ネットワークＩ／Ｆ
１５０  投影機構
１６０  撮影機構
１６１  ＡＲＰテーブル管理部
１６２  ジェスチャ検知部
２００  主制御部
２０１  操作表示制御部
２０２  入出力制御部
２０３  撮影制御部
２０４  画面キャプチャ部
２１０  コントローラ
２２０  マウス／キーボード
２３０  ディスプレイパネル
２４０  ネットワークＩ／Ｆ
２５０  撮影機構
【先行技術文献】
【特許文献】
【０２９３】
【特許文献１】特開２０１４−０４４７３８号公報
【図１】
2017055392.tif 000003
【図２】
2017055392.tif 000004
【図３】
2017055392.tif 000005
【図４】
2017055392.tif 000006
【図５】
2017055392.tif 000007
【図６】
2017055392.tif 000008
【図７】
2017055392.tif 000009
【図８】
2017055392.tif 000010
【図９】
2017055392.tif 000011
【図１０】
2017055392.tif 000012
【図１１】
2017055392.tif 000013
【図１２】
2017055392.tif 000014
【図１３】
2017055392.tif 000015
【図１４】
2017055392.tif 000016
【図１５】
2017055392.tif 000017
【図１６】
2017055392.tif 000018
【図１７】
2017055392.tif 000019
【図１８】
2017055392.tif 000020
【図１９】
2017055392.tif 000021
【図２０】
2017055392.tif 000022
【図２１】
2017055392.tif 000023
【図２２】
2017055392.tif 000024
【図２３】
2017055392.tif 000025
【図２４】
2017055392.tif 000026
【図２５】
2017055392.tif 000027
【図２６】
2017055392.tif 000028
【図２７】
2017055392.tif 000029
【図２８】
2017055392.tif 000030
【図２９】
2017055392.tif 000031
【図３０】
2017055392.tif 000032
【図３１】
2017055392.tif 000033
【図３２】
2017055392.tif 000034
【図３３】
2017055392.tif 000035
【図３４】
2017055392.tif 000036
【図３５】
2017055392.tif 000037
【図３６】
2017055392.tif 000038
【図３７】
2017055392.tif 000039
【図３８】
2017055392.tif 000040
【図３９】
2017055392.tif 000041
【図４０】
2017055392.tif 000042
【図４１】
2017055392.tif 000043
【図４２】
2017055392.tif 000044